(57)【特許請求の範囲】
【請求項１】
広帯域無線通信システムにおけるスリープモード状態の端末の動作方法であって、
リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない場合、基地局に次のスケジュールされたリスニングウィンドウの位置を問い合わせるために制御情報を送信する過程と、
前記制御情報に対する応答を受信すると、次のスリープサイクルに対する同期化を行う過程と、を含む
ことを特徴とする方法。
【請求項２】
前記制御情報を送信する過程は、
次のスケジュールされたスリープサイクルの開始フレーム番号及び次のスケジュールされたスリープサイクルの大きさを要請（ｒｅｑｕｅｓｔ）するために、前記基地局に前記制御情報を送信する過程を含む
ことを特徴とする請求項１に記載の方法。
【請求項３】
前記トラフィック指示メッセージが損失するか、又は検出されない場合、前記リスニングウィンドウの残りの区間の間はアクティブとする過程をさらに含む
ことを特徴とする請求項１に記載の方法。
【請求項４】
前記リスニングウィンドウの間に前記ユニキャストデータが受信されると、前記トラフィック指示メッセージが「Ｐｏｓｉｔｉｖｅ」であることを判断する過程をさらに含む
ことを特徴とする請求項３に記載の方法。
【請求項５】
前記制御情報を送信する過程は、
次のスケジューリングされたｎ（但し、ｎは２以上の自然数）番目のスリープサイクルの開始フレーム番号及び（ｎ−１）番目のスリープサイクルの大きさを前記基地局に要請（ｒｅｑｕｅｓｔ）する前記制御情報を送信する過程を含む
ことを特徴とする請求項１に記載の方法。
【請求項６】
広帯域無線通信システムにおける端末装置であって、
リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない場合、基地局に次のスケジュールされたリスニングウィンドウの位置を要請（ｒｅｑｕｅｓｔ）するために、制御情報を送信するモデムと、
前記制御情報に対する応答を受信すると、次のスリープサイクルに対する同期化を行う制御部と、を備える
ことを特徴とする装置。
【請求項７】
前記モデムは、次のスケジュールされたスリープサイクルの開始フレーム番号及び次のスケジュールされたスリープサイクルの大きさを要請（ｒｅｑｕｅｓｔ）するために、前記基地局に前記制御情報を送信する
ことを特徴とする請求項６に記載の装置。
【請求項８】
前記制御部は、前記トラフィック指示メッセージが損失するか、又は検出されていない場合、前記リスニングウィンドウの残りの区間の間は前記端末がアクティブとなるように制御する
ことを特徴とする請求項６に記載の装置。
【請求項９】
前記制御部は、前記リスニングウィンドウの間に前記ユニキャストデータが受信されると、前記トラフィック指示メッセージが「Ｐｏｓｉｔｉｖｅ」であることを判断する
ことを特徴とする請求項８に記載の装置。
【請求項１０】
前記モデムは、次のスケジューリングされたｎ（但し、ｎは２以上の自然数）番目のスリープサイクルの開始フレーム番号及び（ｎ−１）番目のスリープサイクルの大きさを前記基地局に要請（ｒｅｑｕｅｓｔ）する前記制御情報を送信する
ことを特徴とする請求項６に記載の装置。
【請求項１１】
広帯域無線通信システムにおける基地局の動作方法であって、
リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない端末から次のスケジュールされたリスニングウィンドウの位置を要請（ｒｅｑｕｅｓｔ）するために制御情報を受信する過程と、
次のスケジュールされたスリープサイクルの開始フレーム番号及び次のスケジュールされたスリープサイクルの大きさを含む応答情報を前記端末にユニキャストすることで前記端末に応答する過程と、を含む
ことを特徴とする方法。
【請求項１２】
前記応答情報は、次のスケジュールされたスリープサイクルの開始フレーム番号及び次のスケジュールされたスリープサイクルの大きさを含む
ことを特徴とする請求項１１に記載の方法。
【請求項１３】
前記次のスケジュールされたスリープサイクルの大きさは、スリープサイクルが２倍になる場合の次のスケジュールされたリスニングウィンドウを含むスリープサイクルの長さを指示することを特徴とする請求項１２に記載の方法。
【請求項１４】
広帯域無線通信システムにおける基地局装置であって、
リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない端末から次のスケジュールされたリスニングウィンドウの位置を問い合わせるために制御情報を受信するモデムと、
次のスケジュールされたスリープサイクルの開始フレーム番号及び次のスケジュールされたスリープサイクルの大きさを含む応答情報を前記端末にユニキャストすることで前記端末に応答する制御部と、を備える
ことを特徴とする装置。
【請求項１５】
前記応答情報は、次のスケジュールされたスリープサイクルの開始フレーム番号及び次のスケジュールされたスリープサイクルの大きさを含む
ことを特徴とする請求項１４に記載の装置。
【請求項１６】
前記次のスケジュールされたスリープサイクルの大きさは、スリープサイクルが２倍になる場合の次のスケジュールされたリスニングウィンドウを含むスリープサイクルの長さを指示する
ことを特徴とする請求項１５に記載の装置。
【発明の詳細な説明】
【技術分野】
【０００１】
本発明は、無線通信システムにおけるスリープモード同期化に関する。特に、本発明は、無線通信システムにおいてスリープモード（ｓｌｅｅｐ  ｍｏｄｅ）の端末がトラフィック指示メッセージを受信することができないために発生する状態同期不一致を制御する装置及び方法に関する。
【背景技術】
【０００２】
次世代通信システムである４世代（４ｔｈ  Ｇｅｎｅｒａｔｉｏｎ；以下、４Ｇとする）通信システムでは、高速の送信速度を用いて多様なＱｏＳ（Ｑｕａｌｉｔｙ  ｏｆ  Ｓｅｒｖｉｃｅ）を有するサービスをユーザに提供するための研究が盛んに進められている。特に、現在４Ｇ通信システムでは、無線ローカルエリアネットワーク（Ｗｉｒｅｌｅｓｓ  Ｌｏｃａｌ  Ａｒｅａ  Ｎｅｔｗｏｒｋ；以下、ＷＬＡＮとする）システム及び無線メトロポリタンエリアネットワーク（Ｗｉｒｅｌｅｓｓ  Ｍｅｔｒｏｐｏｌｉｔａｎ  Ａｒｅａ  Ｎｅｔｗｏｒｋ；以下、ＷＭＡＮとする）システムのような無線通信システムにおける移動性（ｍｏｂｉｌｉｔｙ）とＱｏＳとを保証する形態で高速サービスを支援するようにする研究が盛んに行われている。
【０００３】
一般に、無線通信システムは、端末機の移動性を考慮するため、前記端末の電力消費は、システム全体の重要性能指標として用いられる。そのため、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６のような無線通信システム規格は、前記端末の電力消費を最小化させるために、端末のスリープモード及びアクティブモードを定義する。
【０００４】
図１は、従来の技術に係るＩＥＥＥ  ８０２．１６システムで定義されているスリープモード動作を概略的に示している。
【０００５】
前記図１（Ａ）を参考すれば、前記ＩＥＥＥ  ８０２．１６ｅシステムで端末がスリープモードに状態遷移するためには、必ず基地局から状態遷移許諾を受けなければならない。このとき、前記基地局は、前記端末がスリープモードに状態遷移するよう許諾すると同時に、送信するパケットデータをバッファリング（ｂｕｆｆｅｒｉｎｇ）あるいは廃棄（ｄｒｏｐｐｉｎｇ）する動作を行うことができる。また、前記基地局は、前記端末のリスニング区間（ｌｉｓｔｅｎｉｎｇ  ｉｎｔｅｒｖａｌ）あるいはリスニングウィンドウ（ｌｉｓｔｅｎｉｎｇ  ｗｉｎｄｏｗ）の間に前記端末に送信されるデータが存在しているかどうかを通知しなければならず、前記端末は、前記スリープモードから目覚めて自分へ送信されるデータが存在しているかどうかを確認しなければならない。前記図１において、前記送信されるパケットデータの存在有無を通知するために、トラフィック指示（ＭＯＢ＿ＴＲＦ−ＩＮＤ：ＭＯＢｉｌｅ  ＴＲａＦｆｉｃ  ＩＮＤｉｃａｔｏｒ）メッセージ１００、１０２、１０４が送信される。ここで、「Ｎｅｇａｔｉｖｅ  ｔｒａｆｆｉｃ  ｉｎｄｉｃａｔｉｏｎ」を含むトラフィック指示メッセージ１００、１０２は、データが存在しないことを示し、「Ｐｏｓｉｔｉｖｅ  Ｔｒａｆｆｉｃ  Ｉｎｄｉｃａｔｉｏｎ」を含むトラフィック指示メッセージ１０４は、データが存在することを示す。
【０００６】
前記リスニング区間あるいは前記リスニングウィンドウの間を確認した結果、前記端末に送信されるデータの存在が認識されると、前記端末は、前記アクティブモードへ遷移して前記基地局からデータを受信する。以後、前記端末は、再度前記アクティブモードから前記スリープモードへ遷移するために、前記基地局とスリープ要請／応答（ＳＬＰ−ＲＥＱ／ＲＳＰ：ＳＬｅｅＰ−ＲＥＱｕｅｓｔ／ＲｅＳＰｏｎｓｅ）メッセージの送受信過程を行う。これによって、シグナリングオーバヘッドが発生する可能性がある。
【０００７】
前記シグナリングオーバヘッドを防止するための方案として、前記図１（Ｂ）のように、前記端末は、トラフィック存在してもアクティブモードへ遷移しなくても良い。換言すれば、アクティブモード及びスリープモード間の遷移は、スリープ要請／応答（ＭＯＢ＿ＳＬＰ−ＲＥＱ／ＲＳＰ）シグナリングによらなければならないという制約が存在する。これにより、データを受信しなければならない端末は、前記スリープモードの間にスリープ状態（ｓｌｅｅｐ  ｓｔａｔｅ）及びアクティブ状態（ａｗａｋｅ  ｓｔａｔｅ）をスリープサイクル（ｓｌｅｅｐ  ｃｙｃｌｅ）によって繰り返しながらデータを受信する。
【０００８】
前記図１（Ｂ）に示すように、スリープ状態のリスニング区間あるいはリスニングウィンドウの間に、前記端末は、前記基地局からトラフィック指示メッセージ１００、１０２、１０４、１１０、１１２を受信する。詳細に説明すると、初期スリープサイクルのリスニングウィンドウの間に「Ｎｅｇａｔｉｖｅ  ｔｒａｆｆｉｃ  ｉｎｄｉｃａｔｉｏｎ」を含むトラフィック指示メッセージ１００を受信した端末は、次のスリープサイクルを２倍増加させる。以後、前記次のスリープサイクルの経過後に、再度「Ｎｅｇａｔｉｖｅ  ｔｒａｆｆｉｃ  ｉｎｄｉｃａｔｉｏｎ」を含むトラフィック指示メッセージ１０２を受信した前記端末は、再度次のスリープサイクルを現在スリープサイクルの２倍に設定する。スリープサイクル経過後、「Ｐｏｓｉｔｉｖｅ  Ｔｒａｆｆｉｃ  Ｉｎｄｉｃａｔｉｏｎ」を含むトラフィック指示メッセージ１０４を受信した前記端末は、前記トラフィック指示メッセージ１０４を受信したリスニングウィンドウの間にダウンリンクデータを受信し、次のスリープサイクルを初期スリープサイクルの長さにリセット（ｒｅｓｅｔ）する。以後、初期スリープサイクル経過後のリスニングウィンドウの間に、「Ｎｅｇａｔｉｖｅ  ｔｒａｆｆｉｃ  ｉｎｄｉｃａｔｉｏｎ」を含むトラフィック指示メッセージ１１０を受信した前記端末は、スリープサイクルを２倍に増加させる。そして、前記増加されたスリープサイクル以後のリスニングウィンドウの間に「Ｎｅｇａｔｉｖｅ  ｔｒａｆｆｉｃ  ｉｎｄｉｃａｔｉｏｎ」を含むトラフィック指示メッセージ１１２を受信した前記端末は、スリープサイクルを２倍に再度増加させる。
【０００９】
基地局が送信したトラフィック指示メッセージを介してトラフィック指示（Ｔｒａｆｆｉｃ  ｉｎｄｉｃａｔｉｏｎ）情報を端末が正常に受信した場合、前記端末及び前記基地局間のスリープサイクルの同期が維持される。しかしながら、チャネル状態の劣化などの原因により、前記端末が前記トラフィック指示メッセージを受信しない場合、前記基地局が「Ｐｏｓｉｔｉｖｅ  Ｔｒａｆｆｉｃ  Ｉｎｄｉｃａｔｉｏｎ」を送信したか、又は「Ｎｅｇａｔｉｖｅ  ｔｒａｆｆｉｃ  ｉｎｄｉｃａｔｉｏｎ」を送信したか、前記端末は分からない。その結果、前記端末は、次のスリープサイクルの長さを正しく設定できない。これにより、前記端末及び前記基地局間のスリープサイクルの同期が不一致するようになる。
【００１０】
図２は、従来の技術によるＩＥＥＥ  ８０２．１６システムにおけるスリープサイクル同期が不一致する状況を示している。
【００１１】
前記図２に示すように、端末が周期的にスリープサイクルのリスニングウィンドウの間に「Ｎｅｇａｔｉｖｅ  ｔｒａｆｆｉｃ  ｉｎｄｉｃａｔｉｏｎ」を含むトラフィック指示（ＭＯＢ＿ＴＲＦ−ＩＮＤ）メッセージ２００、２０２を正常に受信し、次のスリープサイクル経過後のリスニングウィンドウの間に「Ｎｅｇａｔｉｖｅ  ｔｒａｆｆｉｃ  ｉｎｄｉｃａｔｉｏｎ」を含むトラフィック指示メッセージ２０４を受信することができない。このとき、基地局は、次のスリープサイクルのリスニングウィンドウを時点ｔ１  ２１２と認識する。しかしながら、前記端末は、前記トラフィック指示メッセージ２０４を受信できなかったので、次のスリープサイクルを「Ｐｏｓｉｔｉｖｅ  Ｔｒａｆｆｉｃ  Ｉｎｄｉｃａｔｉｏｎ」によって初期スリープサイクルにリセットするか、又は「Ｎｅｇａｔｉｖｅ  ｔｒａｆｆｉｃ  ｉｎｄｉｃａｔｉｏｎ」によって２倍に増加させなければならないかを判断できない。実際にスリープサイクルのリスニングウィンドウ開始時点は、時点ｔ１  ２１２であるが、前記端末が次のスリープサイクルを初期スリープサイクルにリセットする場合、スリープサイクルのリスニングウィンドウに対する同期化が不一致になる。
【発明の概要】
【発明が解決しようとする課題】
【００１２】
そのため、無線通信システムにおいてトラフィック指示メッセージの受信が不可能な場合に発生できるスリープサイクルの同期が不一致する現象を制御するための方案が必要となる。
【課題を解決するための手段】
【００１３】
本発明の目的は、無線通信システムにおけるトラフィック指示メッセージの未受信による同期不一致を制御するための装置及び方法を提供することにある。
【００１４】
本発明の他の目的は、無線通信システムにおいてトラフィック指示メッセージの未受信時に、ダウンリンクトラフィックの受信有無を利用して同期不一致を制御する装置及び方法を提供することにある。
【００１５】
本発明のさらに他の目的は、無線通信システムにおいてトラフィック指示メッセージの未受信時に、別途の制御メッセージを介して同期不一致を制御する装置及び方法を提供することにある。
【００１６】
上記の目的を達成すべく、本発明の第１見地によれば、広帯域無線通信システムにおけるスリープモード状態の端末の動作方法が提供される。前記方法は、リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない場合、基地局に次のスケジュールされたリスニングウィンドウの位置を問い合わせるために要請メッセージ又はヘッダを送信する過程と、前記要請メッセージ又は前記ヘッダに対する応答を受信すると、次のスリープサイクルに対する同期化を行う過程と、を含むことを特徴とする。
【００１７】
上記の目的を達成すべく、本発明の第２見地によれば、広帯域無線通信システムで基地局の動作方法が提供される。前記方法は、リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない端末から次のスケジュールされたリスニングウィンドウの位置を問い合わせるために要請メッセージ又はヘッダを受信する過程と、次のスケジュールされたスリープサイクルの開始フレーム番号及び次のスケジュールされたスリープサイクルの大きさを含む応答メッセージ又はヘッダを前記端末にユニキャストすることで前記端末に応答する過程を含むことを特徴とする。
【００１８】
上記の目的を達成すべく、本発明の第３見地によれば、広帯域無線通信システムにおける端末装置が提供される。前記装置は、リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない場合、基地局に次のスケジュールされたリスニングウィンドウの位置を問い合わせるために、要請メッセージ又はヘッダを送信するモデムと、前記要請メッセージ又は前記ヘッダに対する応答を受信すると、次のスリープサイクルに対する同期化を行う制御部と、を備えることを特徴とする。
【００１９】
上記の目的を達成すべく、本発明の第４見地によれば、広帯域無線通信システムにおける基地局装置が提供される。前記装置は、リスニングウィンドウの間にトラフィック指示メッセージ（ｔｒａｆｆｉｃ  ｉｎｄｉｃａｔｉｏｎ  ｍｅｓｓａｇｅ）及びユニキャストデータ（ｕｎｉｃａｓｔ  ｄａｔａ）を受信していない端末から次のスケジュールされたリスニングウィンドウの位置を問い合わせるために要請メッセージ又はヘッダを受信するモデムと、次のスケジュールされたスリープサイクルの開始フレーム番号及び次のスケジュールされたスリープサイクルの大きさを含む応答メッセージ又はヘッダを前記端末にユニキャストすることで前記端末に応答する制御部と、を備えることを特徴とする。
【００２０】
上記の目的を達成すべく、本発明の第５見地によれば、広帯域無線通信システムにおけるスリープモード状態の端末の動作方法が提供される。前記方法は、端末を予め決まった時間区間の間にスリープモードで動作させる過程と、スリープモードから外れて基地局からのトラフィック指示メッセージを確認する過程と、トラフィック指示が受信されると、トラフィック指示メッセージが「Ｐｏｓｉｔｉｖｅ  Ｔｒａｆｆｉｃ  Ｉｎｄｉｃａｔｉｏｎ」及び「ｎｅｇａｔｉｖｅ  ｔｒａｆｆｉｃ  ｉｎｄｉｃａｔｉｏｎ」のうちの何れか一つを含んでいるかどうかを判断する過程と、前記トラフィック指示メッセージが「ｎｅｇａｔｉｖｅ  ｔｒａｆｆｉｃ  ｉｎｄｉｃａｔｉｏｎ」を含んでいると、前記予め定義された時間区間を２倍に増加させる過程と、前記トラフィック指示メッセージが「Ｐｏｓｉｔｉｖｅ  Ｔｒａｆｆｉｃ  Ｉｎｄｉｃａｔｉｏｎ」を含んでいると、前記予め定義された時間区間を初期化する過程と、前記トラフィック指示メッセージを受信する間に、ダウンリンクトラフィックが存在しているかどうかを判断する過程と、前記ダウンリンクトラフィックが存在すると、前記予め定義された時間区間を初期化する過程と、を含むことを特徴とする。
【００２１】
前記の目的を達成すべく、本発明の第６見地によれば、広帯域無線通信システムにおける端末のスリープサイクルを制御する基地局の動作方法が提供される。前記方法は、端末がトラフィック指示メッセージを受信しているかどうかを判断する過程と、前記端末に送信されるダウンリンク情報の存在によってトラフィック指示メッセージを生成する過程と、前記端末に前記トラフィック指示メッセージを送信する過程と、前記端末からスリープ制御シグナリング要請メッセージが受信されると、スリープモード同期化のための情報を決定する過程と、前記端末にスリープモード同期化のための情報を含むスリープ制御シグナリング応答メッセージを送信する過程と、を含むことを特徴とする。
【図面の簡単な説明】
【００２２】
【図１】従来の技術によるＩＥＥＥ  ８０２．１６システムで定義されているスリープモード動作を概略的に示す図である。
【図２】従来の技術によるＩＥＥＥ  ８０２．１６システムにおけるスリープサイクル同期が不一致する状況を示す図である。
【図３】本発明の実施の形態に係る無線通信システムにおけるスリープモード及びアクティブモード間の状態遷移図である。
【図４】本発明の実施の形態に係る無線通信システムのスリープモードに対する動作シーケンス図である。
【図５】本発明の第１の実施の形態に係る無線通信システムにおけるスリープモードのスリープサイクル同期を制御するための端末の動作手順を示すフローチャートである。
【図６】本発明の第１の実施の形態に係る無線通信システムにおけるスリープモードのスリープサイクル同期を制御するための基地局の動作手順を示すフローチャートである。
【図７】本発明の第２の実施の形態に係る無線通信システムにおけるスリープモードのスリープサイクル同期を制御するための端末の動作手順を示すフローチャートである。
【図８】本発明の第２の実施の形態に係る無線通信システムにおけるスリープモードのスリープサイクル同期を制御するための基地局の動作手順を示すフローチャートである。
【図９】本発明の第３の実施の形態に係る無線通信システムにおけるスリープモードのスリープサイクル同期を制御するための端末の動作手順を示すフローチャートである。
【図１０】本発明の第３の実施の形態に係る無線通信システムにおけるスリープモードのスリープサイクル同期を制御するための基地局の動作手順を示すフローチャートである。
【図１１】本発明の第４の実施の形態に係る無線通信システムにおけるスリープモードのスリープサイクル同期を制御するための端末の動作手順を示すフローチャートである。
【図１２】本発明の第４の実施の形態に係る無線通信システムにおけるスリープモードのスリープサイクル同期を制御するための基地局の動作手順を示すフローチャートである。
【図１３】本発明の実施の形態に係る無線通信システムにおける端末のブロック構成を示す図である。
【図１４】本発明の実施の形態に係る無線通信システムにおける基地局のブロック構成を示す図である。
【発明を実施するための形態】
【００２３】
以下、参照図面についての説明は、請求の範囲及びそれと同等なものによって定義される本発明の実施の形態の包括的な理解を助けるために提供される。以下の説明は、理解を助けるために多様な具体的な詳細事項を含むが、単に例示に過ぎない。したがって、本発明の思想や範囲を逸脱しない限り、実施の形態の多様な変形及び修正が可能なのはもちろんである。また、周知の機能及び構造の説明は明確性のために省略される場合がある。
【００２４】
以下、本発明は、無線通信システムにおける端末がトラフィック指示（ＭＯＢ＿ＴＲＦ−ＩＮＤ：Ｔｒａｆｆｉｃ  ｉｎｄｉｃａｔｉｏｎ）メッセージを未受信する時にスリープモードのスリープサイクル同期を制御するための技術について説明する。本発明は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍ通信システムを例に挙げてスリープモード動作制御過程を説明するが、本発明で提案するスリープモード状態同期制御技法は、前記ＩＥＥＥ  ８０２．１６ｍ通信システムだけでなく、これと類似の他の通信システムにも適用できるのはもちろんである。また、本発明は、無線通信システムにおいて一つの端末と基地局がスリープモード動作を制御するための動作を説明するが、無線通信システムに複数の端末が存在する場合にも、本発明で提案するスリープモード動作制御技法が適用可能である。
【００２５】
本発明の実施の形態に係るシステムにおいて、トラフィック指示メッセージの値に応じるスリープサイクルの変化は、以下のとおりである。トラフィック指示メッセージは、ダウンリンクデータトラフィックが存在することを端末に通知するのに用いられる。前記トラフィック指示メッセージに「Ｐｏｓｉｔｉｖｅ  Ｔｒａｆｆｉｃ  Ｉｎｄｉｃａｔｉｏｎ」が含まれた場合、次のスリープサイクル（ｓｌｅｅｐ  ｃｙｃｌｅ）は、初期スリープサイクルにリセットされる。反面、前記トラフィック指示メッセージに「Ｎｅｇａｔｉｖｅ  ｔｒａｆｆｉｃ  ｉｎｄｉｃａｔｉｏｎ」が含まれた場合に、次のスリープサイクルは、直前のスリープサイクルの２倍に増加される。一方、端末がアップリンクデータトラフィックあるいは帯域幅要請（Ｂａｎｄｗｉｄｔｈ  Ｒｅｑｕｅｓｔ）を送信する場合にも、「Ｐｏｓｉｔｉｖｅ  Ｔｒａｆｆｉｃ  Ｉｎｄｉｃａｔｉｏｎ」が含まれた場合と同様に、スリープサイクルが初期スリープサイクルにリセットされる。前記次のスリープサイクルがリセットされるとき、初期スリープサイクルでない他の予め定義された長さにリセットされうる。例えば、前記予め定義された長さは、初期スリープサイクルの整数倍に該当する長さでありうる。
【００２６】
図３は、本発明の実施の形態に係る無線通信システムにおけるスリープモード及びアクティブモード間の状態遷移図を示している。
【００２７】
前記図３を参考すれば、基地局及び端末の状態遷移（ｍｏｄｅ  ｃｈａｎｇｅ）形態を示すもので、前記端末の状態は、アクティブモード３００又はスリープモード３１０を含む。前記アクティブモード３００は、トラフィックが頻繁に発生する状態であって、基地局及び端末間パケットデータの送／受信がいつも行われうる。反面、前記スリープモード３１０は、トラフィックがほとんど発生しない状態であって、基地局及び端末間のパケットデータの送／受信がネゴシエーションされた時間区間の間にだけなされる。前記アクティブモード３００の端末の電力消費は、前記スリープモード３１０の前記端末の電力消費より大きい。したがって、前記端末が前記基地局と送／受信するトラフィックが頻繁しない場合、前記端末は、前記スリープモード３１０に遷移することによって、電力消費を最小化できる。
【００２８】
前記端末が前記アクティブモード３００から前記スリープモード３１０へ遷移するために、前記端末は、基地局から状態遷移許諾を受けなければならない。また、前記基地局は、前記端末が前記スリープモード３１０に状態遷移するよう許諾すると同時に、送信するパケットデータをバッファリング（ｂｕｆｆｅｒｉｎｇ）あるいは廃棄（ｄｒｏｐｐｉｎｇ）する動作を行うことができなければならない。例えば、前記アクティブモード３００から前記スリープモード３１０へ遷移３０２するか、前記スリープモード３１０から前記アクティブモード３００へ遷移３０４する場合に、端末と基地局は、スリープ要請／応答（ＳＬＰ＿ＲＥＱ／ＲＳＰ：ＳＬｅｅＰ＿ＲＥＱｕｅｓｔ／ＲｅＳＰｏｎｓｅ）メッセージを送受信しなければならない。前記状態遷移３０２又は３０４のために、前記端末及び前記基地局は、毎度前記スリープ要請／応答メッセージ交換を行わなければならないので、シグナリングオーバヘッドが増加する可能性がある。
【００２９】
前記シグナリングオーバヘッドを除去するために、本発明の実施の形態に係るシステムは、前記スリープモード３１０内でスリープ状態３１２とアクティブ状態３１４とを定義する。換言すれば、前記アクティブモード３００と前記スリープモード３１０間の遷移は、前記スリープ要請／応答（ＭＯＢ＿ＳＬＰ−ＲＥＱ／ＲＳＰ）メッセージの送受信のみによってなされ、前記スリープモード３１０内で前記スリープ状態３１２と前記アクティブ状態３１４とが繰り返される。ここで、前記アクティブモード３００及び前記スリープモード３１０の前記アクティブ状態３１４は、全部トラフィックが発生する状態であって、基地局及び端末間のパケットデータの送／受信がなされる状態を意味する。このとき、前記スリープモード３１０の前記アクティブ状態３１４から前記スリープ状態３１２への遷移は、タイマーの満了によりなされる。すなわち、本発明の実施の形態に係るシステムは、前記スリープモード３１０でスリープサイクル（ｓｌｅｅｐ  ｃｙｃｌｅ）を定義し、前記スリープモード３１０内でトラフィック送信がない前記スリープ状態３１２及びトラフィック送信がある前記アクティブ状態３１４間の遷移を許す。前記スリープサイクルは、リスニングウィンドウ（ｌｉｓｔｅｎｉｎｇ  ｗｉｎｄｏｗ）３１６及びスリープウィンドウ（ｓｌｅｅｐ  ｗｉｎｄｏｗ）３１８から構成される。
【００３０】
前記スリープウィンドウ３１８は、前記アクティブモード３００から前記スリープモード３１０へ遷移する時に端末により要請され、前記端末の要請によって基地局により割り当てられうる区間であって、前記端末が前記スリープ状態３１２へ遷移した後、再度前記アクティブ状態３１４へ状態遷移するまでの時間区間（ｔｉｍｅ  ｉｎｔｅｒｖａｌ）を意味し、結果的に、前記端末が前記スリープ状態３１２で存在する時間と定義される。前記リスニングウィンドウ（Ｌｉｓｔｅｎｉｎｇ  Ｗｉｎｄｏｗ）３１６は、前記アクティブモード３００から前記スリープモード３１０へ遷移する時にスリープウィンドウとともに端末により要請され、前記端末の要請によって基地局により割り当てられることができる区間であって、前記端末が前記スリープ状態３１２から外れた後に前記基地局と同期化されてダウンリンクメッセージ、例えば、トラフィック指示（ＴＲＦ＿ＩＮＤ）メッセージのようなダウンリンクメッセージをデコード（ｄｅｃｏｄｉｎｇ）できるまでかかる時間区間を意味する。ここで、前記トラフィック指示メッセージは、前記端末に送信されるトラフィック、すなわち、パケットデータが存在しているかどうかを示すメッセージであって、前記端末は、前記トラフィック指示メッセージの値に応じて、前記アクティブ状態３１４にあるか、又は再度前記スリープ状態３１２へ遷移するかを決定する。
【００３１】
前記端末は、前記アクティブ状態３１４から前記スリープ状態３１２へ遷移すれば３１８、予め設定されている最小ウィンドウ値を初期スリープ状態の周期に使用して、スリープウィンドウのサイズを決定する。以後、前記リスニングウィンドウの間に前記端末が前記スリープ状態３１２から目覚めて前記基地局から送信されるパケットデータが存在しないことを確認した後、前記端末は、前記スリープウィンドウを直前のスリープウィンドウの２倍の値に設定し、前記スリープ状態３１２を維持しつづける。例えば、前記初期スリープウィンドウの値が「２」である場合、前記端末は、スリープウィンドウを２フレーム長に設定した後、前記２フレーム区間の間に前記スリープ状態３１２で動作する。前記２フレーム区間経過後、前記端末は、前記スリープ状態３１２から外れて前記トラフィック指示メッセージが受信されるかどうかを判断する。前記トラフィック指示メッセージが端末に対する「Ｎｅｇａｔｉｖｅ  ｔｒａｆｆｉｃ  ｉｎｄｉｃａｔｉｏｎ」を含むと、すなわち、前記基地局で端末に送信されるパケットデータが存在しないことが確認されると、前記端末は、前記スリープウィンドウを２フレーム長の２倍である４フレーム長に設定した後、前記４フレーム区間の間に前記スリープ状態３１２で動作する。
【００３２】
図４は、本発明の実施の形態に係る無線通信システムのスリープモードに対する動作を示す。
【００３３】
図４に示すように、端末４００は、アクティブモード３００で動作する途中にスリープモード３１０へ遷移するために、基地局４１０にスリープ要請（ＭＯＢ＿ＳＬＰ−ＲＥＱ：ＭＯＢｉｌｅ  ＳＬｅｅＰ  ＲＥＱｕｅｓｔ）メッセージを送信する（ステップ４０１）。前記スリープ要請メッセージを受信した基地局４１０は、前記基地局４１０及び前記端末４００の状況を考慮して前記端末４００のスリープモード３１０への遷移を許諾するかどうかを判断し、前記判断結果に応じて前記端末４００にスリープ応答（ＭＯＢ＿ＳＬＰ−ＲＳＰ：ＭＯＢｉｌｅ  ＳＬｅｅＰ  ＲｅＳＰｏｎｓｅ）メッセージを送信する（ステップ４０３）。前記スリープ応答メッセージは、リスニングウィンドウ（ｌｉｓｔｅｎｉｎｇ  ｗｉｎｄｏｗ）を示すリスニングウィンドウパラメーターを含む。このとき、本発明の他の実施の形態によって、前記図４に示したことと異なり、前記基地局４１０が前記端末４００のスリープモード要請に対して応答することでなく、非要求方式（ｕｎｓｏｌｉｃｉｔｅｄ  ｍａｎｎｅｒ）によって前記基地局４１０が前記端末４００の要請なし前記端末４００でスリープモードへの遷移を指示できる。すなわち、前記基地局４１０は、前記端末４００から前記スリープ要請メッセージの受信無しで前記スリープ応答メッセージを送信することによって前記端末４００にスリープモード遷移を指示する。
【００３４】
前記基地局４１０から前記スリープ要請メッセージを受信した前記端末４００は、前記スリープ要請メッセージによってスリープモード動作を始める。このとき、前記端末４００は、前記スリープ要請メッセージに含まれているリスニングウィンドウパラメーターによって前記スリープモード動作を行うことを認識している。また、前記端末４００は、前記基地局４１０に送信するデータがある場合、前記スリープモードから前記アクティブモードへ遷移できる。前記端末４００に送信するデータが存在しない場合、前記基地局４１０は、前記スリープモードのリスニングウィンドウで前記端末４００の識別子を含まないトラフィック指示メッセージを送信する（ステップ４０５）。前記トラフィック指示メッセージは、前記端末４００に該当しないので、前記端末４００に対したトラフィック指示メッセージは、「Ｎｅｇａｔｉｖｅ  ｔｒａｆｆｉｃ  ｉｎｄｉｃａｔｉｏｎ」を含む。前記端末４００は、前記トラフィック指示メッセージをデコードした後、前記端末４００の識別子が含まれていないことを確認し、スリープモードを維持する。このとき、スリープウィンドウは、前記スリープウィンドウアップデートアルゴリズムにより２倍に増加される。
【００３５】
前記基地局４１０が前記端末４００に送信するデータを有する場合、すなわち、ネットワークから前記端末４００へのデータが提供された場合、前記基地局４１０は、前記端末４００の識別子を含んだトラフィック指示メッセージを送信する（ステップ４０７）。前記端末４００に対した前記トラフィック指示メッセージは、「Ｐｏｓｉｔｉｖｅ  Ｔｒａｆｆｉｃ  Ｉｎｄｉｃａｔｉｏｎ」を含む。前記端末４００は、前記トラフィック指示メッセージをデコードした後、前記端末４００の識別子が含まれて存在することを確認し、アクティブモードへ遷移して基地局４１０からデータを受信する。
【００３６】
以下、本発明は、スリープモード内にスリープ状態及びアクティブ状態がスリープサイクル（ｓｌｅｅｐ  ｃｙｃｌｅ）によって繰り返される過程で、端末がトラフィック指示メッセージを受信することができない場合、前記スリープ状態及び前記アクティブ状態に対する基地局及び端末間の同期を制御する過程について説明する。
【００３７】
図５は、本発明の第１の実施の形態に係る無線通信システムにおけるスリープモードのスリープサイクル同期を制御するための端末動作手順を示している。
【００３８】
前記図５に示すように、前記端末は、ステップ５００にてスリープモードで動作する。次に、前記端末は、スリープモードで動作する途中に、ステップ５０２に進んでスリープサイクルによってリスニングウィンドウが渡来しているかを確認する。前記リスニングウィンドウでない場合、前記端末は、前記ステップ５００に戻ってスリープモードを維持する。
【００３９】
反面、前記リスニングウィンドウが渡来した場合、前記端末は、ステップ５０４に進んで前記リスニングウィンドウの間にトラフィック指示メッセージを受信待機する。前記トラフィック指示メッセージは、端末識別子の有無を利用して端末のダウンリンクトラフィックが存在しているかどうかを示す。
【００４０】
万一、前記トラフィック指示メッセージが受信されると、前記端末は、ステップ５０６に進んで前記トラフィック指示メッセージに「Ｎｅｇａｔｉｖｅ  ｔｒａｆｆｉｃ  ｉｎｄｉｃａｔｉｏｎ」を示しているか、又は「Ｐｏｓｉｔｉｖｅ  Ｔｒａｆｆｉｃ  Ｉｎｄｉｃａｔｉｏｎ」を示しているかを確認する。前記「Ｎｅｇａｔｉｖｅ  ｔｒａｆｆｉｃ  ｉｎｄｉｃａｔｉｏｎ」であるか、又は前記「Ｐｏｓｉｔｉｖｅ  Ｔｒａｆｆｉｃ  Ｉｎｄｉｃａｔｉｏｎ」であるかは、前記トラフィック指示メッセージに前記端末の識別子情報が含まれているかにより判断される。すなわち、前記識別子情報が含まれていると、前記トラフィック指示メッセージは、前記「Ｐｏｓｉｔｉｖｅ  Ｔｒａｆｆｉｃ  Ｉｎｄｉｃａｔｉｏｎ」を示し、前記識別子情報が含まれていないと、前記トラフィック指示メッセージは、「Ｎｅｇａｔｉｖｅ  ｔｒａｆｆｉｃ  ｉｎｄｉｃａｔｉｏｎ」を示す。
【００４１】
万一、前記トラフィック指示メッセージが「Ｎｅｇａｔｉｖｅ  ｔｒａｆｆｉｃ  ｉｎｄｉｃａｔｉｏｎ」を示す場合、前記端末は、ステップ５０８に進んで次のスリープサイクルを現在スリープサイクルの２倍に増加させる。例えば、現在スリープサイクルの長さが４フレームである場合、前記次のスリープサイクルの長さは、８フレームになる。すなわち、前記基地局は、前記トラフィック指示メッセージに「Ｎｅｇａｔｉｖｅ  ｔｒａｆｆｉｃ  ｉｎｄｉｃａｔｉｏｎ」を含めると同時に、前記端末の次のスリープサイクルを現在スリープサイクルの２倍に設定し、これにより、前記端末も「Ｎｅｇａｔｉｖｅ  ｔｒａｆｆｉｃ  ｉｎｄｉｃａｔｉｏｎ」を認識し、前記次のスリープサイクルを現在スリープサイクルの２倍に設定することによって、暗黙的に前記端末及び前記基地局は、前記スリープサイクルを同期化する。
【００４２】
反面、前記トラフィック指示メッセージが「Ｐｏｓｉｔｉｖｅ  Ｔｒａｆｆｉｃ  Ｉｎｄｉｃａｔｉｏｎ」を示す場合、前記端末は、ステップ５１０に進んで次のスリープサイクルを初期スリープサイクルの長さにリセットする。すなわち、前記基地局は、前記トラフィック指示メッセージに「Ｐｏｓｉｔｉｖｅ  Ｔｒａｆｆｉｃ  Ｉｎｄｉｃａｔｉｏｎ」を含めると同時に、前記端末の次のスリープサイクルを初期スリープサイクルに設定し、これにより、前記端末も「Ｐｏｓｉｔｉｖｅ  Ｔｒａｆｆｉｃ  Ｉｎｄｉｃａｔｉｏｎ」を認識し、前記次のスリープサイクルを初期スリープサイクルに設定することによって、暗黙的に前記端末及び前記基地局は、前記スリープサイクルを同期化する。
【００４３】
前記ステップ５０４にて、前記トラフィック指示メッセージを受信していない場合、前記端末は、ステップ５１２に進んで残ったリスニングウィンドウの間にダウンリンクトラフィックが受信されるかどうかを確認する。ここで、前記トラフィック指示メッセージを受信していないことによって、前記端末は、次のスリープサイクルの長さを２倍増加させるべきか又は初期スリープサイクルの長さにリセットしなければならないのかが判断できない。したがって、この場合、前記基地局及び前記端末は、互いに異なるスリープサイクルによって動作できる。
【００４４】
前記端末が前記トラフィック指示メッセージを受信していなくても、前記ステップ５０６にて残ったリスニングウィンドウの間にダウンリンクトラフィックが受信されるかどうかを確認することによって、前記端末は、前記リスニングウィンドウの間に受信していない前記トラフィック指示メッセージがポジティブトラフィック指示「Ｐｏｓｉｔｉｖｅ  Ｔｒａｆｆｉｃ  Ｉｎｄｉｃａｔｉｏｎ」であるか、又はネガティブトラフィック指示「Ｎｅｇａｔｉｖｅ  ｔｒａｆｆｉｃ  ｉｎｄｉｃａｔｉｏｎ」であるかを類推できる。すなわち、前記残ったリスニングウィンドウの間にダウンリンクトラフィックが受信されることは、前記トラフィック指示メッセージが「Ｐｏｓｉｔｉｖｅ  Ｔｒａｆｆｉｃ  Ｉｎｄｉｃａｔｉｏｎ」としてダウンリンクトラフィックが存在することを通知することを意味し、残ったリスニングウィンドウの間にダウンリンクトラフィックが受信されないことは、前記トラフィック指示メッセージが「Ｎｅｇａｔｉｖｅ  ｔｒａｆｆｉｃ  ｉｎｄｉｃａｔｉｏｎ」としてダウンリンクトラフィックが存在しないことを通知することを意味する。
【００４５】
万一、前記残ったリスニングウィンドウの間にダウンリンクトラフィックが受信されると、前記端末は、ステップ５１４に進んで前記リスニングウィンドウの間に受信していない前記トラフィック指示メッセージが「Ｐｏｓｉｔｉｖｅ  Ｔｒａｆｆｉｃ  Ｉｎｄｉｃａｔｉｏｎ」を示していると判断し、次のスリープサイクルの長さを初期スリープサイクルの長さにリセットする。
【００４６】
反面、前記残ったリスニングウィンドウの間にダウンリンクトラフィックが受信されないと、前記端末は、ステップ５１６に進んでスリープ制御シグナリング要請メッセージ（ｓｌｅｅｐ  ｃｏｎｔｒｏｌ  ｓｉｇｎａｌｉｎｇ  ｒｅｑｕｅｓｔ  ｍｅｓｓａｇｅ）を送信することによって、前記ステップ５０４のリスニングウィンドウの間に、前記トラフィック指示メッセージを受信していないことを前記基地局に通知する。
【００４７】
前記ダウンリンクトラフィックが受信されないときは、前記ダウンリンクトラフィックが送信されない場合、すなわち、前記受信していないトラフィック指示メッセージが「Ｎｅｇａｔｉｖｅ  ｔｒａｆｆｉｃ  ｉｎｄｉｃａｔｉｏｎ」である場合であるか、又は、前記ダウンリンクトラフィックが送信されたにもかかわらず、チャネル状態の劣化によって前記ダウンリンクトラフィックを受信していない場合である。電子の場合のように、前記ダウンリンクトラフィックが送信されない場合、前記端末は、次のスリープサイクルを現在スリープサイクルの２倍に設定できる。この場合、前記端末は、スリープ制御シグナリング要請メッセージを送信する必要がない。しかしながら、後者のように、チャネル状態の劣化によって送信されたダウンリンクトラフィックを受信していない場合、前記端末は前記トラフィック指示メッセージが「Ｎｅｇａｔｉｖｅ  ｔｒａｆｆｉｃ  ｉｎｄｉｃａｔｉｏｎ」と判断して、次のスリープサイクルを現在スリープサイクルの２倍に設定するならば、前記端末及び前記基地局間のスリープサイクルが不一致するようになる。したがって、前記後者において発生するスリープサイクルの不一致を防止するために、前記端末は、前記スリープ制御シグナリング要請メッセージを前記基地局に送信して、受信していないトラフィック指示メッセージが「Ｐｏｓｉｔｉｖｅ  Ｔｒａｆｆｉｃ  Ｉｎｄｉｃａｔｉｏｎ」であるか、又は「Ｎｅｇａｔｉｖｅ  ｔｒａｆｆｉｃ  ｉｎｄｉｃａｔｉｏｎ」であるかが判断できない不確実な状況を解消する。本発明の他の実施の形態によって、前記端末は、「Ｐｏｓｉｔｉｖｅ  Ｔｒａｆｆｉｃ  Ｉｎｄｉｃａｔｉｏｎ」であるか、又は「Ｎｅｇａｔｉｖｅ  ｔｒａｆｆｉｃ  ｉｎｄｉｃａｔｉｏｎ」であるかの代わりに、次のスリープサイクルの開始時点を問い合わせ、不確実なスリープサイクルの開始時点を一致させることができる。例えば、前記スリープ制御シグナリング要請メッセージは、下記の表１のように構成される。
【００４８】
【表１】
0005892926.tif 000002
【００４９】
前記「ＭＳＩＤ」は、端末識別子を示す。前記「Ｒｅｑｕｅｓｔ＿Ｔｙｐｅ」は、要請タイプであって、スリープモード同期のための要請であるか、又はスリープモードからアクティブモードへの遷移のための要請であるかを示す。例えば、前記「Ｒｅｑｕｅｓｔ＿Ｔｙｐｅ」が「０ｘ００」であると、これは、トラフィック指示メッセージの未受信などにより同期が不一致することを通知すると同時に、不一致の解消のための情報を提供することを要請することを意味する。前記「Ｒｅｑｕｅｓｔ＿Ｔｙｐｅ」が「０ｘ０１」であると、これは、端末がスリープモードを解除するためであることを意味する。前記「Ｒｅｑｕｅｓｔ＿Ｔｙｐｅ」が「０ｘ００」である場合、前記「Ｆｒａｍｅ  Ｎｕｍｂｅｒ」は、トラフィック指示メッセージを受信しなければならないリスニングウィンドウに該当するフレームのＬＳＢ（Ｌｅａｓｔ  Ｓｉｇｎｉｆｉｃａｎｔ  Ｂｉｔ）４ビットを意味する。ただし、本発明の他の実施の形態によって前記「Ｆｒａｍｅ  Ｎｕｍｂｅｒ」は、リスニングウィンドウを含むスーパーフレームのＬＳＢ４ビットを意味できる。前記「Ｅｘｉｔ  Ｓｌｅｅｐ  Ｍｏｄｅ」により、前記スリープ制御シグナリング要請メッセージは、スリープモード同期不一致の解消目的外の他の目的として利用されることもできる。したがって、前記スリープ制御シグナリング要請メッセージが前記スリープモード同期不一致を解消する目的のみで用いられる場合、前記「Ｒｅｑｕｅｓｔ＿Ｔｙｐｅ」情報は省略されうる。
【００５０】
以後、前記端末は、ステップ５１８に進んで前記スリープ制御シグナリング要請メッセージに対する応答であるスリープ制御シグナリング応答メッセージ（ｓｌｅｅｐ  ｃｏｎｔｒｏｌ  ｓｉｇｎａｌｉｎｇ  ｒｅｓｐｏｎｓｅ  ｍｅｓｓａｇｅ）を受信する。これにより、前記端末は、前記ステップ５０４の受信していない前記トラフィック指示メッセージが「Ｐｏｓｉｔｉｖｅ  Ｔｒａｆｆｉｃ  Ｉｎｄｉｃａｔｉｏｎ」であるか、又は「Ｎｅｇａｔｉｖｅ  ｔｒａｆｆｉｃ  ｉｎｄｉｃａｔｉｏｎ」であるかを分かるようになる。本発明の他の実施の形態によって、前記端末は、前記スリープ制御シグナリング応答メッセージにより次のスリープサイクルの開始時点が分かる。
【００５１】
前記図５を参考して説明した実施の形態において、前記端末は、「Ｎｅｇａｔｉｖｅ  ｔｒａｆｆｉｃ  ｉｎｄｉｃａｔｉｏｎ」が受信されると、スリープサイクルを２倍に増加させ、「Ｐｏｓｉｔｉｖｅ  Ｔｒａｆｆｉｃ  Ｉｎｄｉｃａｔｉｏｎ」が受信されると、スリープサイクルを初期スリープサイクルの長さにリセットする。前記トラフィック指示の種類によってスリープサイクルの長さを調節する具体的な内容は、前記端末がスリープモードに進入するために基地局と行うスリープ応答／要請シグナリングを介したネゴシエーションの結果によって決定される。したがって、前記図５の実施の形態は、「Ｎｅｇａｔｉｖｅ  ｔｒａｆｆｉｃ  ｉｎｄｉｃａｔｉｏｎ」が受信されると、スリープサイクルが２倍に増加、及び「Ｐｏｓｉｔｉｖｅ  Ｔｒａｆｆｉｃ  Ｉｎｄｉｃａｔｉｏｎ」が受信されると、スリープサイクルが初期スリープサイクルの長さにリセットされるという内容のネゴシエーションを前提にしたものである。
【００５２】
したがって、本発明の他の実施の形態によって、他の内容のネゴシエーションが可能である。例えば、「Ｎｅｇａｔｉｖｅ  ｔｒａｆｆｉｃ  ｉｎｄｉｃａｔｉｏｎ」が受信されると、スリープサイクルが２倍に増加、及び「Ｐｏｓｉｔｉｖｅ  Ｔｒａｆｆｉｃ  Ｉｎｄｉｃａｔｉｏｎ」が受信されてもスリープサイクルが２倍に増加されるという内容のネゴシエーションが可能である。この場合、前記端末は、前記ステップ５１４にてスリープサイクルを２倍に増加させる。
【００５３】
図６は、本発明の第１の実施の形態に係る無線通信システムにおけるスリープモードのスリープサイクル同期を制御するための基地局動作フローチャートを示している。
【００５４】
前記図６に示すように、基地局は、ステップ６００にて端末のリスニングウィンドウが到来したかどうかを確認する。前記リスニングウィンドウが渡来すると、前記基地局は、ステップ６０２に進んで前記端末に送信するダウンリンクトラフィックが存在しているかどうかを確認する。
【００５５】
万一、前記端末に送信するダウンリンクトラフィックが存在すると、前記基地局は、ステップ６０４に進んで前記端末の識別子情報をトラフィック指示メッセージに含める。前記トラフィック指示メッセージに前記端末の識別子情報が含まれることによって、前記トラフィック指示メッセージは、前記端末に「Ｐｏｓｉｔｉｖｅ  Ｔｒａｆｆｉｃ  Ｉｎｄｉｃａｔｉｏｎ」と判断される。反面、前記端末に送信するダウンリンクトラフィックが存在しないと、前記基地局は、前記ステップ６０４を行わない。これにより、前記端末は、前記トラフィック指示メッセージに前記端末の識別子情報が含まれているかどうかにより、前記トラフィック指示メッセージが「Ｎｅｇａｔｉｖｅ  ｔｒａｆｆｉｃ  ｉｎｄｉｃａｔｉｏｎ」であるか、又は「Ｐｏｓｉｔｉｖｅ  Ｔｒａｆｆｉｃ  Ｉｎｄｉｃａｔｉｏｎ」であるかを判断する。
【００５６】
以後、前記基地局は、ステップ６０６に進んで、少なくとも一つの端末識別子情報を含む前記トラフィック指示メッセージ及び前記端末のダウンリンクトラフィックを送信する。ここで、前記ステップ６０２の判断結果によって、前記端末のダウンリンクトラフィックの送信は省略されうる。
【００５７】
次に、前記基地局は、ステップ６０８に進んで端末からスリープ制御シグナリング要請メッセージが受信されるかどうかを確認する。前記スリープ制御シグナリング要請メッセージは、スリープモード同期化のための情報を要請するメッセージであり、例えば、前記表１のように構成される。
【００５８】
前記スリープ制御シグナリング要請メッセージが受信されると、前記基地局は、ステップ６１０に進んでスリープモード同期化のための情報を決定する。前記スリープモード同期化のための情報は、前記端末が受信していないトラフィック指示メッセージが表すトラフィック指示情報、すなわち、「Ｎｅｇａｔｉｖｅ  ｔｒａｆｆｉｃ  ｉｎｄｉｃａｔｉｏｎ」あるいは「Ｐｏｓｉｔｉｖｅ  Ｔｒａｆｆｉｃ  Ｉｎｄｉｃａｔｉｏｎ」である。本発明の他の実施の形態によって、前記スリープモード同期化のための情報は、次のスリープサイクルの開始時点情報になることができる。
【００５９】
前記スリープモード同期化のための情報を決定した後、前記基地局は、ステップ６１２に進んで前記スリープモード同期化のための情報を含むスリープ制御シグナリング応答メッセージを前記端末に送信する。例えば、前記スリープ制御シグナリング応答メッセージは、下記の表２のように構成される。
【００６０】
【表２】
0005892926.tif 000003
【００６１】
前記「Ｒｅｑｕｅｓｔ  Ｔｙｐｅ」が「０ｘ００」である場合、前記「Ｆｒａｍｅ  Ｎｕｍｂｅｒ」は、端末がトラフィック指示メッセージを受信しなければならなかったリスニングウィンドウに該当するフレームのＬＳＢ（Ｌｅａｓｔ  Ｓｉｇｎｉｆｉｃａｎｔ  Ｂｉｔ）４ビットを意味する。ただし、本発明の他の実施の形態によって前記「Ｆｒａｍｅ  Ｎｕｍｂｅｒ」は、リスニングウィンドウを含むスーパーフレームのＬＳＢ４ビットを意味できる。本発明のさらに他の実施の形態によって、前記「Ｆｒａｍｅ  Ｎｕｍｂｅｒ」は省略されうる。前記「Ｔｒａｆｆｉｃ  ｉｎｄｉｃａｔｉｏｎ」は、前記「Ｆｒａｍｅ  Ｎｕｍｂｅｒ」により指示される時点に送信されたトラフィック指示メッセージのトラフィック指示情報を意味する。前記「Ｒｅｑｕｅｓｔ  Ｔｙｐｅ」が「０ｘ０１」である場合、前記「Ａｐｐｒｏｖａｌ  Ｃｏｄｅ」が含まれ、前記「Ａｐｐｒｏｖａｌ  Ｃｏｄｅ」は、端末の「Ｅｘｉｔ  Ｓｌｅｅｐ  Ｍｏｄｅ」に対する基地局の受諾／拒絶を意味する。
【００６２】
本発明の他の実施の形態に係る前記スリープ制御シグナリング応答メッセージは、下記の表３のように構成される。
【００６３】
【表３】
0005892926.tif 000004
【００６４】
前記「Ｒｅｑｕｅｓｔ  Ｔｙｐｅ」が「０ｘ００」である場合、前記「Ｆｒａｍｅ＿Ｎｕｍｂｅｒ  ｆｏｒ  Ｎｅｘｔ  Ｓｃｈｅｄｕｌｅｄ  Ｌｉｓｔｅｎｉｎｇ  ｗｉｎｄｏｗ」は、次のスリープサイクルの開始時点、すなわち、次のスリープサイクルの開始部分に位置するリスニングウィンドウの第１フレームを意味する。前記「Ｒｅｑｕｅｓｔ  Ｔｙｐｅ」が０ｘ０１である場合、「Ａｐｐｒｏｖａｌ  Ｃｏｄｅ」は、端末の「Ｅｘｉｔ  Ｓｌｅｅｐ  Ｍｏｄｅ」に対する基地局の受諾／拒絶を意味する。
【００６５】
前記図５及び前記図６を参考して説明した本発明の第１の実施の形態において、前記端末は、前記スリープ制御シグナリング要請メッセージを送信する。しかしながら、本発明の他の実施の形態によって、前記スリープ制御シグナリング要請メッセージは、別途に分離された機能のために設計された独立的なシグナリングメッセージが用いられることができる。例えば、前記独立的なシグナリングメッセージは、それ自体が「Ｓｌｅｅｐ  Ｓｙｎｃ  Ｉｎｆｏ  Ｒｅｑｕｅｓｔ」を意味しうる。また、本発明のさらに他の実施の形態によって、端末は、スリープ制御シグナリング要請／応答メッセージの代わりにＣＱＩＣＨ（Ｃｈａｎｎｅｌ  Ｑｕａｌｉｔｙ  Ｉｎｄｉｃａｔｉｏｎ  ＣＨａｎｎｅｌ）、専用ＣＤＭＡ（Ｃｏｄｅ  Ｄｉｖｉｓｉｏｎ  Ｍｕｌｔｉｐｌｅ  Ａｃｃｅｓｓ）コード又は前記同期化のための目的の特殊コードを送信できる。
【００６６】
図７は、本発明の第２の実施の形態に係る無線通信システムにおけるスリープモードのスリープサイクル同期を制御するための端末動作手順を示している。
【００６７】
前記図７に示すように、前記端末は、ステップ７００にてスリープモードで動作する。次に、前記端末は、スリープモードで動作する途中にステップ７０２に進んでスリープサイクルによってリスニングウィンドウが渡来しているかどうかを確認する。前記リスニングウィンドウでない場合、前記端末は、前記ステップ７００に戻ってスリープモードを維持する。
【００６８】
反面、前記リスニングウィンドウが渡来した場合、前記端末は、ステップ７０４に進んで前記リスニングウィンドウの間にトラフィック指示メッセージを受信待機する。前記トラフィック指示メッセージは、端末識別子の有無を利用して、端末のダウンリンクトラフィックが存在しているかどうかを示す。
【００６９】
万一、前記トラフィック指示メッセージが受信されると、前記端末は、ステップ７２０に進んで前記トラフィック指示メッセージが「Ｎｅｇａｔｉｖｅ  ｔｒａｆｆｉｃ  ｉｎｄｉｃａｔｉｏｎ」を示しているか又は「Ｐｏｓｉｔｉｖｅ  Ｔｒａｆｆｉｃ  Ｉｎｄｉｃａｔｉｏｎ」を示しているかを確認する。前記「Ｎｅｇａｔｉｖｅ  ｔｒａｆｆｉｃ  ｉｎｄｉｃａｔｉｏｎ」であるか、又は前記「Ｐｏｓｉｔｉｖｅ  Ｔｒａｆｆｉｃ  Ｉｎｄｉｃａｔｉｏｎ」であるかは、前記トラフィック指示メッセージに前記端末の識別子情報が含まれているかにより判断される。すなわち、前記識別子情報が含まれていると、前記トラフィック指示メッセージは、前記「Ｐｏｓｉｔｉｖｅ  Ｔｒａｆｆｉｃ  Ｉｎｄｉｃａｔｉｏｎ」を示し、前記識別子情報が含まれていないと、前記トラフィック指示メッセージは、「Ｎｅｇａｔｉｖｅ  ｔｒａｆｆｉｃ  ｉｎｄｉｃａｔｉｏｎ」を示す。
【００７０】
万一、前記トラフィック指示メッセージが「Ｎｅｇａｔｉｖｅ  ｔｒａｆｆｉｃ  ｉｎｄｉｃａｔｉｏｎ」を示す場合、前記端末は、ステップ７２２に進んで、次のスリープサイクルを現在スリープサイクルの２倍に増加させる。例えば、現在スリープサイクルの長さが４フレームである場合、前記次のスリープサイクルの長さは、８フレームになる。すなわち、前記基地局は、前記トラフィック指示メッセージに「Ｎｅｇａｔｉｖｅ  ｔｒａｆｆｉｃ  ｉｎｄｉｃａｔｉｏｎ」を含めると同時に、前記端末の次のスリープサイクルを現在スリープサイクルの２倍に設定し、これにより、前記端末も「Ｎｅｇａｔｉｖｅ  ｔｒａｆｆｉｃ  ｉｎｄｉｃａｔｉｏｎ」を認識し、前記次のスリープサイクルを現在スリープサイクルの２倍に設定することによって、暗黙的に前記端末及び前記基地局は、前記スリープサイクルを同期化する。
【００７１】
反面、前記トラフィック指示メッセージが「Ｐｏｓｉｔｉｖｅ  Ｔｒａｆｆｉｃ  Ｉｎｄｉｃａｔｉｏｎ」を示す場合、前記端末は、ステップ７２４に進んで次のスリープサイクルを初期スリープサイクルの長さにリセットする。すなわち、前記基地局は、前記トラフィック指示メッセージに「Ｐｏｓｉｔｉｖｅ  Ｔｒａｆｆｉｃ  Ｉｎｄｉｃａｔｉｏｎ」を含めると同時に、前記端末の次のスリープサイクルを初期スリープサイクルに設定し、これにより、前記端末も「Ｐｏｓｉｔｉｖｅ  Ｔｒａｆｆｉｃ  Ｉｎｄｉｃａｔｉｏｎ」を認識し、前記次のスリープサイクルを初期スリープサイクルに設定することによって、暗黙的に前記端末及び前記基地局は、前記スリープサイクルを同期化する。
【００７２】
前記７０４にてトラフィック指示メッセージを受信していない場合、前記端末は、ステップ７０６に進んで残ったリスニングウィンドウの間にダウンリンクトラフィックが受信されるかどうかを確認する。ここで、前記端末は、前記トラフィック指示メッセージを受信できなくなると、次のスリープサイクルの長さを２倍に増加させなければならないか、又は初期スリープサイクルにリセットしなければならないかを判断できない。したがって、前記基地局と前記端末とは、互いに異なるスリープサイクルで動作しうる。
【００７３】
たとえ前記端末がステップ７０４にて前記トラフィック指示メッセージを受信しなくても、ステップ７０６にて残ったリスニングウィンドウの間にダウンリンクトラフィックが受信されるかどうかを確認することによって、前記リスニングウィンドウの間に受信していない前記トラフィック指示メッセージに「Ｐｏｓｉｔｉｖｅ  Ｔｒａｆｆｉｃ  Ｉｎｄｉｃａｔｉｏｎ」が含まれているか、又は「Ｎｅｇａｔｉｖｅ  ｔｒａｆｆｉｃ  ｉｎｄｉｃａｔｉｏｎ」が含まれて存在しているかを類推できる。すなわち、残ったリスニングウィンドウの間にダウンリンクトラフィックが受信されたということは、「Ｐｏｓｉｔｉｖｅ  Ｔｒａｆｆｉｃ  Ｉｎｄｉｃａｔｉｏｎ」を含めて前記端末のダウンリンクトラフィックが存在することを通知したと前記端末は判断でき、残ったリスニングウィンドウの間にダウンリンクトラフィックが受信されなかったということは、「Ｎｅｇａｔｉｖｅ  ｔｒａｆｆｉｃ  ｉｎｄｉｃａｔｉｏｎ」を含めて前記端末のダウンリンクトラフィックが存在しないことを通知したと前記端末は判断できる。
【００７４】
万一、ステップ７０６に進んで残ったリスニングウィンドウの間にダウンリンクトラフィックが受信される際、ステップ７０８に進んで前記リスニングウィンドウの間に受信していない前記トラフィック指示メッセージに「Ｐｏｓｉｔｉｖｅ  Ｔｒａｆｆｉｃ  Ｉｎｄｉｃａｔｉｏｎ」が含まれたと認識し、初期スリープサイクルにリセットする。例えば、前記端末は、残りのリスニングウィンドウの間に（例えば、リスニングウィンドウが４個のフレームに該当する区間といえば、第１番目のフレームを除いた２、３、４番目のフレーム区間）基地局からユニキャストダウンリンクトラフィックを受信した場合、たとえ第１番目のフレームでトラフィック指示メッセージを受信することができなくても、前記基地局が端末に「Ｐｏｓｉｔｉｖｅ  Ｔｒａｆｆｉｃ  Ｉｎｄｉｃａｔｉｏｎ」情報を送信したと認識し、現在スリープサイクルを初期スリープサイクルにリセットする。反面、ステップ７０６に進んで残ったリスニングウィンドウの間にダウンリンクトラフィックが受信されない際、ステップ７１０に進んで次のスリープサイクルを初期スリープサイクルにリセットする。
【００７５】
以後、前記端末は、ステップ７１２にて前記初期スリープサイクルのリスニングウィンドウでトラフィック指示メッセージを受信待機する。このとき、前記端末は、トラフィック指示メッセージを再び受信できない可能性もある。万一、前記初期スリープサイクルのリスニングウィンドウでトラフィック指示メッセージを受信していない場合、ステップ７１０に進んで再び次のスリープサイクルを初期スリープサイクルにリセットして、前記初期スリープサイクルのリスニングウィンドウでトラフィック指示メッセージを受信待機する。
【００７６】
以後、前記端末は、ステップ７１４にて前記受信したトラフィック指示メッセージに含まれた自身の「ＳＬＰＩＤ＿Ｉｎｆｏ」情報が存在しているかどうかを確認する。前記「ＳＬＰＩＤ＿Ｉｎｆｏ」は、下記の表４で説明する。
【００７７】
万一、「ＳＬＰＩＤ＿Ｉｎｆｏ」情報があるとき、前記端末は、ステップ７１８に進んで「ＳＬＰＩＤ＿Ｉｎｆｏ」情報を参考してスリープモード同期を維持する。例えば、「ＳＬＰＩＤ＿Ｉｎｆｏ」に「Ｐｏｓｉｔｉｖｅ  Ｔｒａｆｆｉｃ  Ｉｎｄｉｃａｔｉｏｎ」が含まれるとき、次のスリープサイクルを初期スリープサイクルにリセットし、「ＳＬＰＩＤ＿Ｉｎｆｏ」に「Ｎｅｇａｔｉｖｅ  ｔｒａｆｆｉｃ  ｉｎｄｉｃａｔｉｏｎ」が含まれるとき、次のスリープサイクルを現在スリープサイクルの２倍に設定する。すなわち、この場合は、ステップ７０４にてリスニングウィンドウの間にトラフィック指示メッセージ及びダウンリンクトラフィックを受信していない場合、リセットされた初期スリープサイクルのリスニングウィンドウに受信されたトラフィック指示メッセージに前記端末の「ＳＬＰＩＤ＿Ｉｎｆｏ」情報があるということから、ステップ７０４におけるトラフィック指示メッセージには「Ｐｏｓｉｔｉｖｅ  Ｔｒａｆｆｉｃ  Ｉｎｄｉｃａｔｉｏｎ」情報が存在することを類推できる。
【００７８】
万一、「ＳＬＰＩＤ＿Ｉｎｆｏ」情報がないとき、前記端末は、ステップ７１６に進んで次のスリープサイクルをステップ７０４のトラフィック指示メッセージ送信と関連したスリープサイクルの２倍に設定する。すなわち、この場合は、ステップ７０４にてリスニングウィンドウの間にトラフィック指示メッセージ及びダウンリンクトラフィックを受信していない場合、リセットされた初期スリープサイクルのリスニングウィンドウに受信されたトラフィック指示メッセージに前記端末の「ＳＬＰＩＤ＿Ｉｎｆｏ」情報がないということから、ステップ７０４におけるトラフィック指示メッセージには、「Ｎｅｇａｔｉｖｅ  ｔｒａｆｆｉｃ  ｉｎｄｉｃａｔｉｏｎ」情報が存在することを類推できる。したがって、ステップ７１０にてリセットされた初期スリープサイクルで２倍に増加させずに、ステップ７０４のトラフィック指示メッセージに該当するスリープサイクルを基準に２倍に増加させる。
【００７９】
前記図７を参考して説明した実施の形態において、前記端末は、「Ｎｅｇａｔｉｖｅ  ｔｒａｆｆｉｃ  ｉｎｄｉｃａｔｉｏｎ」が受信されると、スリープサイクルを２倍に増加させ、「Ｐｏｓｉｔｉｖｅ  Ｔｒａｆｆｉｃ  Ｉｎｄｉｃａｔｉｏｎ」が受信されると、スリープサイクルを初期スリープサイクルの長さにリセットする。前記トラフィック指示の種類によってスリープサイクルの長さを調節する具体的な内容は、前記端末がスリープモードに進入するために基地局と行うスリープ応答／要請シグナリングを介したネゴシエーションの結果によって決定される。したがって、前記図７の実施の形態は、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されると、スリープサイクルが初期スリープサイクルの長さにリセットされるという内容のネゴシエーションを前提にしたものである。
【００８０】
したがって、本発明の他の実施の形態によって、他の内容のネゴシエーションが可能である。例えば、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されても、スリープサイクルが２倍に増加されるという内容のネゴシエーションが可能である。この場合、前記端末は、前記７０８にてスリープサイクルを２倍に増加させる。
【００８１】
図８は、本発明の第２の実施の形態に係る無線通信システムにおけるスリープモードのスリープサイクル同期を制御するための基地局動作フローチャートを示している。
【００８２】
前記図８に示すように、基地局は、ステップ８００にて端末のリスニングウィンドウであるかどうかを確認して、リスニングウィンドウでない場合、ステップ８００に進む。万一、リスニングウィンドウである場合、ステップ８０２に進んで前記端末に送信するダウンリンクトラフィックが存在しているかどうかを確認する。
【００８３】
万一、前記基地局は、ステップ８０２にて前記端末に送信するダウンリンクトラフィックが存在すると、ステップ８０４に進み、端末のための識別子情報及び「Ｐｏｓｉｔｉｖｅ  Ｔｒａｆｆｉｃ  Ｉｎｄｉｃａｔｉｏｎ」をトラフィック指示メッセージに含む。反面、前記基地局は、前記端末に送信するダウンリンクトラフィックが存在しないと、前記基地局は、ステップ８０６に進んで、端末のための識別子情報及び「Ｎｅｇａｔｉｖｅ  ｔｒａｆｆｉｃ  ｉｎｄｉｃａｔｉｏｎ」をトラフィック指示メッセージに含める。
【００８４】
以後、前記基地局は、ステップ８１０に進んで前記端末のための識別子情報及びトラフィック指示情報（「Ｐｏｓｉｔｉｖｅ  Ｔｒａｆｆｉｃ  Ｉｎｄｉｃａｔｉｏｎ」あるいは「Ｎｅｇａｔｉｖｅ  ｔｒａｆｆｉｃ  ｉｎｄｉｃａｔｉｏｎ」）を含む前記トラフィック指示メッセージを送信し、必要により端末のダウンリンクトラフィックを送信する。
【００８５】
下記表４は、前記図８に示す実施の形態において送信するトラフィック指示メッセージフォーマットである。
【００８６】
【表４】
0005892926.tif 000005
【００８７】
ここで、「Ｎｕｍｂｅｒ  ｏｆ  ＳＬＰＩＤ＿Ｉｎｆｏｒ」は、トラフィック指示メッセージに含まれるＳＬＰＩＤ＿Ｉｎｆｏの個数を意味する。前記ＳＬＰＩＤ（ＳＬｅｅＰ  ＩＤｅｎｔｉｆｉｃａｔｉｏｎ）は、該当フレームから目覚めてトラフィック指示メッセージを受信しなければならない端末の識別子情報である。換言すれば、「Ｐｏｓｉｔｉｖｅ  Ｔｒａｆｆｉｃ  Ｉｎｄｉｃａｔｉｏｎ」又は「Ｎｅｇａｔｉｖｅ  ｔｒａｆｆｉｃ  ｉｎｄｉｃａｔｉｏｎ」に関わらず、該当フレームでトラフィック指示メッセージを受信するようにスケジュールされたすべての端末のＳＬＰＩＤ＿Ｉｎｆｏが含まれる。前記ＳＬＰＩＤ＿Ｉｎｆｏパラメーターは、二つのサブパラメーターから構成される。すなわち、端末に割り当てられたＳＬＰＩＤとトラフィック指示情報が含まれる。トラフィック指示情報が「０」であると、「Ｎｅｇａｔｉｖｅ  ｔｒａｆｆｉｃ  ｉｎｄｉｃａｔｉｏｎ」を示し、これに対し「１」は、「Ｐｏｓｉｔｉｖｅ  Ｔｒａｆｆｉｃ  Ｉｎｄｉｃａｔｉｏｎ」を示す。
【００８８】
上述したように、第２の実施の形態において、万一、端末が「Ｎｅｇａｔｉｖｅ  ｔｒａｆｆｉｃ  ｉｎｄｉｃａｔｉｏｎ」を含んだトラフィック指示メッセージを受信した場合、端末と基地局とは、現在スリープサイクルを既存スリープサイクルの２倍に設定し、残りのリスニングウィンドウと関係なしでスリープモードへ遷移する。反面、端末が「Ｐｏｓｉｔｉｖｅ  Ｔｒａｆｆｉｃ  Ｉｎｄｉｃａｔｉｏｎ」を含んだトラフィック指示メッセージを受信した場合、スリープサイクルを初期スリープサイクルにリセットし、残りのリスニングウィンドウの間に必要によりダウンリンクトラフィックを受信する。これにより、次のスリープサイクル（Ｎｅｘｔ  Ｓｃｈｅｄｕｌｅｄ  Ｓｌｅｅｐ  ｃｙｃｌｅ）の開始点を暗黙的に端末と基地局で分かる。
【００８９】
図９は、本発明の第３の実施の形態に係る無線通信システムにおけるスリープモードのスリープサイクル同期を制御するための端末動作手順を示している。
【００９０】
前記図９を参考すれば、前記端末は、ステップ９００にてスリープモードで動作する。次に、前記端末は、スリープモードで動作する途中、ステップ９０２に進んでスリープサイクルによってリスニングウィンドウが渡来しているかどうかを確認する。前記リスニングウィンドウでない場合、前記端末は、前記ステップ９００に戻って、スリープモードを維持する。
【００９１】
反面、前記リスニングウィンドウが渡来した場合、前記端末は、ステップ９０４に進んで前記リスニングウィンドウの間にトラフィック指示メッセージを受信待機する。前記トラフィック指示メッセージは、端末識別子の有無を利用して、端末のダウンリンクトラフィックが存在しているかどうかを示す。
【００９２】
万一、前記トラフィック指示メッセージが受信されると、前記端末は、ステップ９１２に進んで前記トラフィック指示メッセージに「Ｎｅｇａｔｉｖｅ  ｔｒａｆｆｉｃ  ｉｎｄｉｃａｔｉｏｎ」を示しているか又は「Ｐｏｓｉｔｉｖｅ  Ｔｒａｆｆｉｃ  Ｉｎｄｉｃａｔｉｏｎ」を示しているかを確認する。前記「Ｎｅｇａｔｉｖｅ  ｔｒａｆｆｉｃ  ｉｎｄｉｃａｔｉｏｎ」であるか、又は前記「Ｐｏｓｉｔｉｖｅ  Ｔｒａｆｆｉｃ  Ｉｎｄｉｃａｔｉｏｎ」であるかは、前記トラフィック指示メッセージに前記端末の識別子情報が含まれているかにより判断される。すなわち、前記識別子情報が含まれていると、前記トラフィック指示メッセージは、前記「Ｐｏｓｉｔｉｖｅ  Ｔｒａｆｆｉｃ  Ｉｎｄｉｃａｔｉｏｎ」を示し、前記識別子情報が含まれていないと、前記トラフィック指示メッセージは、「Ｎｅｇａｔｉｖｅ  ｔｒａｆｆｉｃ  ｉｎｄｉｃａｔｉｏｎ」を示す。
【００９３】
万一、前記トラフィック指示メッセージが「Ｎｅｇａｔｉｖｅ  ｔｒａｆｆｉｃ  ｉｎｄｉｃａｔｉｏｎ」を示す場合、前記端末は、ステップ９１４に進んで次のスリープサイクルを現在スリープサイクルの２倍に増加させる。例えば、現在スリープサイクルの長さが４フレームである場合、前記次のスリープサイクルの長さは、８フレームになる。すなわち、前記基地局は、前記トラフィック指示メッセージに「Ｎｅｇａｔｉｖｅ  ｔｒａｆｆｉｃ  ｉｎｄｉｃａｔｉｏｎ」を含めると同時に、前記端末の次のスリープサイクルを現在スリープサイクルの２倍に設定し、これにより、前記端末も「Ｎｅｇａｔｉｖｅ  ｔｒａｆｆｉｃ  ｉｎｄｉｃａｔｉｏｎ」を認識し、前記次のスリープサイクルを現在スリープサイクルの２倍に設定することによって、暗黙的に前記端末及び前記基地局は、前記スリープサイクルを同期化する。
【００９４】
反面、前記トラフィック指示メッセージが「Ｐｏｓｉｔｉｖｅ  Ｔｒａｆｆｉｃ  Ｉｎｄｉｃａｔｉｏｎ」を示す場合、前記端末は、ステップ９１６に進んで次のスリープサイクルを初期スリープサイクルの長さにリセットする。すなわち、前記基地局は、前記トラフィック指示メッセージに「Ｐｏｓｉｔｉｖｅ  Ｔｒａｆｆｉｃ  Ｉｎｄｉｃａｔｉｏｎ」を含めると同時に、前記端末の次のスリープサイクルを初期スリープサイクルに設定し、これにより、前記端末も「Ｐｏｓｉｔｉｖｅ  Ｔｒａｆｆｉｃ  Ｉｎｄｉｃａｔｉｏｎ」を認識し、前記次のスリープサイクルを初期スリープサイクルに設定することによって、暗黙的に前記端末及び前記基地局は、前記スリープサイクルを同期化する。
【００９５】
万一、ステップ９０４にてトラフィック指示メッセージを受信していない場合、前記端末は、ステップ９０６に進んで残ったリスニングウィンドウの間にダウンリンクトラフィックが受信されるかどうかを確認する。ここで、前記端末は、前記トラフィック指示メッセージを受信しなくなると、次のスリープサイクルの長さを２倍に増加させなければならないか、又は初期スリープサイクルにリセットしなければならないかを判断できない。したがって、前記基地局と前記端末は、互いに異なるスリープサイクルで動作できる。
【００９６】
たとえ前記端末がステップ９０４にて前記トラフィック指示メッセージを受信しなくても、ステップ９０６にて残ったリスニングウィンドウの間にダウンリンクトラフィックが受信されるかどうかを確認することによって、前記リスニングウィンドウの間に受信していない前記トラフィック指示メッセージに「Ｐｏｓｉｔｉｖｅ  Ｔｒａｆｆｉｃ  Ｉｎｄｉｃａｔｉｏｎ」が含まれているか、又は「Ｎｅｇａｔｉｖｅ  ｔｒａｆｆｉｃ  ｉｎｄｉｃａｔｉｏｎ」が含まれて存在しているかを類推できる。すなわち、残ったリスニングウィンドウの間にダウンリンクトラフィックが受信されたということは、「Ｐｏｓｉｔｉｖｅ  Ｔｒａｆｆｉｃ  Ｉｎｄｉｃａｔｉｏｎ」を含めて前記端末のダウンリンクトラフィックが存在することを通知したと前記端末は判断でき、残ったリスニングウィンドウの間にダウンリンクトラフィックが受信されていないというのは、「Ｐｏｓｉｔｉｖｅ  Ｔｒａｆｆｉｃ  Ｉｎｄｉｃａｔｉｏｎ」を含めて前記端末のダウンリンクトラフィックが存在しないことを通知したと前記端末は判断できる。
【００９７】
万一、ステップ９０６に進んで残ったリスニングウィンドウの間にダウンリンクトラフィックが受信されるとき、ステップ９１０に進んで前記リスニングウィンドウの間に受信していない前記トラフィック指示メッセージに「Ｐｏｓｉｔｉｖｅ  Ｔｒａｆｆｉｃ  Ｉｎｄｉｃａｔｉｏｎ」が含まれたと認識し、初期スリープサイクルにリセットする。
【００９８】
反面、ステップ９０６に進んで残ったリスニングウィンドウの間にダウンリンクトラフィックが受信されないとき、ステップ９０８に進んで前記端末は、基地局と新しいスリープモード動作をネゴシエーションする。すなわち、前記端末は、ＭＯＢ＿ＳＬＰ−ＲＥＱメッセージを前記基地局に送信することによってネゴシエーションが始まると、前記基地局は、それに対して、ＭＯＢ＿ＳＬＰ−ＲＳＰで応答する。これにより、新しくネゴシエーションされたスリープモードパラメーターを介して、指定されたフレームから（Ｓｔａｒｔ＿Ｆｒａｍｅ＿Ｎｕｍｂｅｒ）スリープモード動作が始まって、同期問題が解決される。
【００９９】
前記図９を参考して説明した実施の形態において、前記端末は、「Ｎｅｇａｔｉｖｅ  ｔｒａｆｆｉｃ  ｉｎｄｉｃａｔｉｏｎ」が受信されると、スリープサイクルを２倍に増加させ、「Ｐｏｓｉｔｉｖｅ  Ｔｒａｆｆｉｃ  Ｉｎｄｉｃａｔｉｏｎ」が受信されると、スリープサイクルを初期スリープサイクルの長さにリセットする。前記トラフィック指示の種類によってスリープサイクルの長さを調節する具体的な内容は、前記端末がスリープモードに進入するために基地局と行うスリープ応答／要請シグナリングを介したネゴシエーションの結果によって決定される。したがって、前記図９の実施の形態は、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されると、スリープサイクルが初期スリープサイクルの長さにリセットされるという内容のネゴシエーションを前提にしたものである。
【０１００】
したがって、本発明の他の実施の形態によって、他の内容のネゴシエーションが可能である。例えば、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されてもスリープサイクルが２倍に増加されるという内容のネゴシエーションが可能である。この場合、前記端末は、前記ステップ９１０にてスリープサイクルを２倍に増加させる。
【０１０１】
図１０は、本発明の第３の実施の形態に係る無線通信システムにおけるスリープモードのスリープサイクル同期を制御するための基地局動作フローチャートを示している。
【０１０２】
前記図１０に示すように、基地局は、ステップ１０００にて端末のリスニングウィンドウであるかどうかを確認して、リスニングウィンドウでない場合、ステップ１０００に進む。万一、リスニングウィンドウの場合、ステップ１００２に進んで前記端末に送信するダウンリンクトラフィックが存在しているかどうかを確認する。
【０１０３】
万一、前記端末に送信するダウンリンクトラフィックが存在すると、ステップ１００４に進んで、端末のための識別子情報をトラフィック指示メッセージに含む。反面、前記基地局は、前記端末に送信するダウンリンクトラフィックが存在しないと、端末のための識別子情報をトラフィック指示メッセージに含まない。
【０１０４】
これにより、前記端末は、トラフィック指示メッセージに端末識別子情報があるかどうかを確認して、「Ｎｅｇａｔｉｖｅ  ｔｒａｆｆｉｃ  ｉｎｄｉｃａｔｉｏｎ」であるか、又は「Ｐｏｓｉｔｉｖｅ  Ｔｒａｆｆｉｃ  Ｉｎｄｉｃａｔｉｏｎ」であるかを判断できる。
【０１０５】
以後、前記基地局は、ステップ１００６にて少なくとも一つの端末識別子情報を含む前記トラフィック指示メッセージ及び必要時に端末のダウンリンクトラフィックを送信する。以後、前記基地局は、ステップ１００８にて少なくとも一つの端末からスリープモード動作ネゴシエーション要請を受信待機する。
【０１０６】
万一、スリープモード動作ネゴシエーション要請がないとき、換言すれば、端末からＭＯＢ＿ＳＬＰ−ＲＥＱメッセージを受信しないとき、該当モード動作を行い、スリープモード動作ネゴシエーション要請があるとき、換言すれば、端末からＭＯＢ＿ＳＬＰ−ＲＥＱメッセージを受信するとき、ステップ１０１０に進む。
【０１０７】
前記基地局は、ステップ１０１０にてＭＯＢ＿ＳＬＰ−ＲＥＱメッセージに対してスリープ要請メッセージを前記端末に送信して、スリープモード動作のためのパラメーターを再ネゴシエーションする。
【０１０８】
上述した本発明の第１の実施の形態ないし前記第３の実施の形態は、トラフィック指示メッセージが端末のリスニングウィンドウの第１番目のフレームから送信されるのを前提とする。しかしながら、本発明の実施の形態に係るシステムがスーパーフレームを採用し、各スーパーフレームは、４個のフレームから構成されていると仮定しよう。この場合、各スリープモード動作中である端末の任意のスリープサイクルの開始点は、スーパーフレーム内に特定な一つのフレームになる。換言すれば、スリープサイクルを構成するリスニングウィンドウの開始点がスーパーフレーム内で端末別に異なるフレームでありうる。したがって、一つのスーパーフレーム内で互いに異なる時点を有するリスニングウィンドウが存在できる。
【０１０９】
しかしながら、トラフィック指示メッセージを各々のリスニングウィンドウの開始時点に送信せずに、スーパーフレームの第１番目のフレームでトラフィック指示メッセージをすべて送信する方式が適用されうる。この場合、複数のリスニングウィンドウを代表する一つのトラフィック指示メッセージが送信される。このとき、該当スーパーフレーム内の特定フレームでトラフィック指示メッセージを受信するようになる端末は、リスニングウィンドウの開始部分が含まれたスーパーフレームの第１番目のフレームで前記トラフィック指示メッセージを受信待機する。「Ｎｅｇａｔｉｖｅ  ｔｒａｆｆｉｃ  ｉｎｄｉｃａｔｉｏｎ」を含むトラフィック指示メッセージを受信した場合、前記端末は、現在のスリープサイクルを２倍に増加させ、本来のリスニングウィンドウから目覚める必要なく直ちにスリープ状態に遷移する。一方、「Ｐｏｓｉｔｉｖｅ  Ｔｒａｆｆｉｃ  Ｉｎｄｉｃａｔｉｏｎ」を含んだトラフィック指示メッセージを受信した場合、前記端末は、スリープサイクルを初期スリープサイクルにリセットする。同時に、前記端末は、本来のリスニングウィンドウが始まるまで（０ないし３フレーム後まで）マイクロ（ｍｉｃｒｏ）スリープ動作を行うことができ、リスニングウィンドウでデータを送／受信する。
【０１１０】
反面、前記トラフィック指示メッセージを受信していない場合、リスニングウィンドウで必ず目覚めて、前記第１の実施の形態ないし前記第３の実施の形態によって動作する。ただし、前記第１の実施の形態ないし前記第３の実施の形態に係る動作のうち、トラフィック指示メッセージを受信待機するステップは省略される。
【０１１１】
端末がトラフィック指示メッセージを受信することできない状況は、多様な原因により発生できる。例えば、端末が受信しなければならないシステム情報の変更により、前記トラフィック指示メッセージを受信できない状況が発生できる。例えば、Ｓ−ＳＦＨＳＰＩＥ（Ｓｅｃｏｎｄａｒｙ  Ｓｕｐｅｒ  Ｆｒａｍｅ  Ｈｅａｄｅｒ  ＳｕｂＰａｃｋｅｔ  Ｉｎｆｏｒｍａｔｉｏｎ  Ｅｌｅｍｅｎｔ）などのシステム情報変更を端末が分からない場合、前記端末は、前記トラフィック指示メッセージを受信できなくなりうる。前記システム情報の変更がおきた場合、基地局がブロードキャストする変更されたシステム情報を受信する前まで、前記端末のアップリンクデータ送信は禁止される。しかしながら、アップリンクデータ送信の禁止という制約は、本発明の第１の実施の形態によって端末が基地局にスリープ制御シグナリングメッセージを送信することによって、自身のトラフィック指示情報を問い合わせる過程と矛盾する。
【０１１２】
ただし、変更されたシステム情報を受信した後、端末が前記スリープ制御シグナリングメッセージを送信できる。しかしながら、変更されたシステム情報受信完了するまでかかったフレーム個数が多くて、トラフィック指示メッセージを受信していないフレームを前記スリープ制御シグナリングメッセージ内の「Ｆｒａｍｅ  Ｎｕｍｂｅｒ」の制限されたビット数で表現できない場合が発生できる。さらに、端末が受信していないトラフィック指示メッセージが「Ｐｏｓｉｔｉｖｅ  Ｔｒａｆｆｉｃ  Ｉｎｄｉｃａｔｉｏｎ」である場合、スリープサイクルは、初期スリープサイクルにリセットされるので、該当次のスケジュールされるリスニングウィンドウ（Ｎｅｘｔ  ｓｃｈｅｄｕｌｅｄ  Ｌｉｓｔｅｎｉｎｇ  ｗｉｎｄｏｗ）の位置は、変更されたシステム情報を受信する途中に位置できる。この場合、端末がトラフィック指示メッセージを受信することができなかったリスニングウィンドウのフレーム番号を通知することは無意味になる。なぜなら、端末が受信していないトラフィック指示メッセージが含まれたリスニングウィンドウの他に、さらに他のリスニングウィンドウでトラフィック指示メッセージを受信できないため正しい同期化が行われることができないためである。したがって、本発明は、後述する第４の実施の形態のように、トラフィック指示メッセージを受信していないリスニングウィンドウを指示するフレーム番号を通知しない方案を提案する。
【０１１３】
図１１は、本発明の第４の実施の形態に係る無線通信システムにおけるスリープモードのスリープサイクル同期を制御するための端末動作手順を示している。
【０１１４】
前記図１１に示すように、前記端末は、ステップ１１００にてスリープモードで動作する。続き、前記端末は、スリープモードで動作する途中、ステップ１１０２に進んでスリープサイクルによってリスニングウィンドウが渡来しているかどうかを確認する。前記リスニングウィンドウでない場合、前記端末は、前記ステップ１１００に戻って、スリープモードを維持する。
【０１１５】
反面、前記リスニングウィンドウが渡来した場合、前記端末は、ステップ１１０４に進んで前記リスニングウィンドウの間にトラフィック指示メッセージを受信待機する。前記トラフィック指示メッセージは、端末識別子の有無を利用して、端末のダウンリンクトラフィックが存在しているかどうかを示す。
【０１１６】
万一、前記トラフィック指示メッセージが受信されると、前記端末は、ステップ１１０６に進んで前記トラフィック指示メッセージが「Ｎｅｇａｔｉｖｅ  ｔｒａｆｆｉｃ  ｉｎｄｉｃａｔｉｏｎ」を示しているか、又は「Ｐｏｓｉｔｉｖｅ  Ｔｒａｆｆｉｃ  Ｉｎｄｉｃａｔｉｏｎ」を示しているかを確認する。前記「Ｎｅｇａｔｉｖｅ  ｔｒａｆｆｉｃ  ｉｎｄｉｃａｔｉｏｎ」であるか、又は前記「Ｐｏｓｉｔｉｖｅ  Ｔｒａｆｆｉｃ  Ｉｎｄｉｃａｔｉｏｎ」であるかは、前記トラフィック指示メッセージに前記端末の識別子情報が含まれているかにより判断される。すなわち、前記識別子情報が含まれていると、前記トラフィック指示メッセージは、前記「Ｐｏｓｉｔｉｖｅ  Ｔｒａｆｆｉｃ  Ｉｎｄｉｃａｔｉｏｎ」を示し、前記識別子情報が含まれていないと、前記トラフィック指示メッセージは、「Ｎｅｇａｔｉｖｅ  ｔｒａｆｆｉｃ  ｉｎｄｉｃａｔｉｏｎ」を示す。
【０１１７】
万一、前記トラフィック指示メッセージが「Ｎｅｇａｔｉｖｅ  ｔｒａｆｆｉｃ  ｉｎｄｉｃａｔｉｏｎ」を示す場合、前記端末は、ステップ１１０８に進んで次のスリープサイクルを現在スリープサイクルの２倍に増加させる。例えば、現在スリープサイクルの長さが４フレームである場合、前記次のスリープサイクルの長さは、８フレームになる。すなわち、前記基地局は、前記トラフィック指示メッセージに「Ｎｅｇａｔｉｖｅ  ｔｒａｆｆｉｃ  ｉｎｄｉｃａｔｉｏｎ」を含めると同時に、前記端末の次のスリープサイクルを現在スリープサイクルの２倍に設定し、これにより、前記端末も「Ｎｅｇａｔｉｖｅ  ｔｒａｆｆｉｃ  ｉｎｄｉｃａｔｉｏｎ」を認識し、前記次のスリープサイクルを現在スリープサイクルの２倍に設定することによって、暗黙的に前記端末及び前記基地局は、前記スリープサイクルを同期化する。
【０１１８】
反面、前記トラフィック指示メッセージが「Ｐｏｓｉｔｉｖｅ  Ｔｒａｆｆｉｃ  Ｉｎｄｉｃａｔｉｏｎ」を示す場合、前記端末は、ステップ１１１０に進んで次のスリープサイクルを初期スリープサイクルの長さにリセットする。すなわち、前記基地局は、前記トラフィック指示メッセージに「Ｐｏｓｉｔｉｖｅ  Ｔｒａｆｆｉｃ  Ｉｎｄｉｃａｔｉｏｎ」を含めると同時に、前記端末の次のスリープサイクルを初期スリープサイクルに設定し、これにより、前記端末も「Ｐｏｓｉｔｉｖｅ  Ｔｒａｆｆｉｃ  Ｉｎｄｉｃａｔｉｏｎ」を認識し、前記次のスリープサイクルを初期スリープサイクルに設定することによって、暗黙的に前記端末及び前記基地局は、前記スリープサイクルを同期化する。
【０１１９】
前記ステップ１１０４にて、前記トラフィック指示メッセージを受信していない場合、前記端末は、ステップ１１１２に進んで残ったリスニングウィンドウの間にダウンリンクトラフィックが受信されるかどうかを確認する。ここで、前記トラフィック指示メッセージを受信することができないことによって、前記端末は、次のスリープサイクルの長さを２倍増加させなければならないか又は初期スリープサイクルの長さにリセットしなければならないかを判断できない。したがって、この場合、前記基地局及び前記端末は、互いに異なるスリープサイクルによって動作できる。
【０１２０】
前記端末が前記トラフィック指示メッセージを受信することができなくても、前記１１０６に残ったリスニングウィンドウの間にダウンリンクトラフィックが受信されるかどうかを確認することによって、前記端末は、前記リスニングウィンドウの間に受信していない前記トラフィック指示メッセージが「Ｐｏｓｉｔｉｖｅ  Ｔｒａｆｆｉｃ  Ｉｎｄｉｃａｔｉｏｎ」であるか、又は「Ｎｅｇａｔｉｖｅ  ｔｒａｆｆｉｃ  ｉｎｄｉｃａｔｉｏｎ」であるかを類推できる。すなわち、前記残ったリスニングウィンドウの間にダウンリンクトラフィックが受信されることは、前記トラフィック指示メッセージが「Ｐｏｓｉｔｉｖｅ  Ｔｒａｆｆｉｃ  Ｉｎｄｉｃａｔｉｏｎ」であって、ダウンリンクトラフィックが存在することを通知したことを意味し、残ったリスニングウィンドウの間にダウンリンクトラフィックが受信されないことは、前記トラフィック指示メッセージが「Ｎｅｇａｔｉｖｅ  ｔｒａｆｆｉｃ  ｉｎｄｉｃａｔｉｏｎ」であって、ダウンリンクトラフィックが存在しないことを通知することを意味する。
【０１２１】
万一、前記残ったリスニングウィンドウの間にダウンリンクトラフィックが受信されると、前記端末は、ステップ１１１４に進んで前記リスニングウィンドウの間に受信していない前記トラフィック指示メッセージが「Ｐｏｓｉｔｉｖｅ  Ｔｒａｆｆｉｃ  Ｉｎｄｉｃａｔｉｏｎ」を示したことを判断し、次のスリープサイクルの長さを初期スリープサイクルの長さにリセットする。
【０１２２】
反面、前記残ったリスニングウィンドウの間にダウンリンクトラフィックが受信されないと、前記端末は、ステップ１１１６に進んでスリープ制御シグナリング要請メッセージ（ｓｌｅｅｐ  ｃｏｎｔｒｏｌ  ｓｉｇｎａｌｉｎｇ  ｒｅｑｕｅｓｔ  ｍｅｓｓａｇｅ）を送信することによって、前記ステップ１１０４のリスニングウィンドウの間に、前記トラフィック指示メッセージを受信しなかったことを前記基地局に通知する。また、前記端末は、前記スリープ制御シグナリング要請メッセージを介して、次のスリープサイクルの開始時点及び前記次のスケジュールされるリスニングウィンドウを含むスリープサイクルの長さを問い合わせる。例えば、前記スリープ制御シグナリング要請メッセージは、下記表５のように構成される。
【０１２３】
【表５】
0005892926.tif 000006
【０１２４】
前記「ＭＳＩＤ」は、端末識別子を示す。前記「Ｒｅｑｕｅｓｔ＿Ｔｙｐｅ」は、要請タイプであって、スリープモード同期のための要請であるか、又はスリープモードからアクティブモード遷移のための要請であるかを示す。例えば、前記「Ｒｅｑｕｅｓｔ＿Ｔｙｐｅ」が「０ｘ００」であると、これは、トラフィック指示メッセージ未受信などにより同期が不一致することを通知すると同時に、不一致を解消するための情報の提供を要請することを意味する。前記「Ｒｅｑｕｅｓｔ＿Ｔｙｐｅ」が「０ｘ０１」であると、これは、端末がスリープモードを解除しようとすることを意味する。前記「Ｅｘｉｔ  Ｓｌｅｅｐ  Ｍｏｄｅ」により、前記スリープ制御シグナリング要請メッセージは、スリープモード同期不一致の解消目的外の他の目的で利用されることもできる。したがって、前記スリープ制御シグナリング要請メッセージが前記スリープモード同期不一致を解消する目的だけで用いられる場合、前記「Ｒｅｑｕｅｓｔ＿Ｔｙｐｅ」情報は省略できる。
【０１２５】
以後、前記端末は、ステップ１１１８に進んで前記スリープ制御シグナリング要請メッセージに対する応答であるスリープ制御シグナリング応答メッセージ（ｓｌｅｅｐ  ｃｏｎｔｒｏｌ  ｓｉｇｎａｌｉｎｇ  ｒｅｓｐｏｎｓｅ  ｍｅｓｓａｇｅ）を受信する。これにより、前記端末は、前記スリープ制御シグナリング応答メッセージを介して、次のスリープサイクルの開始時点及び前記次のスケジュールされたリスニングウィンドウを含むスリープサイクルの長さが分かるようになる。
【０１２６】
次に、前記端末は、ステップ１１２０に進んで前記次のスリープサイクルの開始時点及び前記次のスケジュールされたリスニングウィンドウを含むスリープサイクルの長さを利用して、スリープサイクルの同期化を行う。すなわち、前記端末は、次のスリープサイクルの長さを前記次のスケジュールされたリスニングウィンドウを含むスリープサイクルの長さに設定し、次のスリープサイクルを前記次のスリープサイクルの開始時点から開始させる。これにより、前記端末は、次のスケジュールされたリスニングウィンドウにおいて「Ｐｏｓｉｔｉｖｅ  Ｔｒａｆｆｉｃ  Ｉｎｄｉｃａｔｉｏｎ」又は「Ｎａｇａｔｉｖｅ  ｔｒａｆｆｉｃ  ｉｎｄｉｃａｔｉｏｎ」を受信するようになり、「Ｐｏｓｉｔｉｖｅ  Ｔｒａｆｆｉｃ  Ｉｎｄｉｃａｔｉｏｎ」を受信すると、前記「Ｌｅｎｇｔｈ  ｏｆ  Ｓｌｅｅｐ  ｃｙｃｌｅ」を参照せずに、前記リスニングウィンドウを含んだスリープサイクルを初期スリープサイクルの長さにリセットする。反面、「Ｎｅｇａｔｉｖｅ  ｔｒａｆｆｉｃ  ｉｎｄｉｃａｔｉｏｎ」を受信すると、前記端末は、リスニングウィンドウを以前スリープサイクルの２倍に増加させなければならないが、このとき、前記「Ｌｅｎｇｔｈ  ｏｆ  Ｓｌｅｅｐ  ｃｙｃｌｅ」を参考して、前記２倍に増加された後のスリープサイクルの長さを決定する。
【０１２７】
前記図１１を参考して説明した実施の形態において、前記端末は、「Ｎｅｇａｔｉｖｅ  ｔｒａｆｆｉｃ  ｉｎｄｉｃａｔｉｏｎ」が受信されると、スリープサイクルを２倍に増加させ、「Ｐｏｓｉｔｉｖｅ  Ｔｒａｆｆｉｃ  Ｉｎｄｉｃａｔｉｏｎ」が受信されると、スリープサイクルを初期スリープサイクルの長さにリセットする。前記トラフィック指示の種類によってスリープサイクルの長さを調節する具体的な内容は、前記端末がスリープモードに進入するために基地局と行うスリープ応答／要請シグナリングを介したネゴシエーションの結果によって決定される。したがって、前記図１１の実施の形態は、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されると、スリープサイクルが初期スリープサイクルの長さにリセットされるという内容のネゴシエーションを前提にしたものである。
【０１２８】
したがって、本発明の他の実施の形態によって、他の内容のネゴシエーションが可能である。例えば、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されても、スリープサイクルが２倍に増加されるという内容のネゴシエーションが可能である。この場合、前記端末は、前記ステップ１１１４にてスリープサイクルを２倍に増加させる。
【０１２９】
前記ステップ１１１６にて、前記スリープ制御シグナリング要請メッセージは、他の名称で定義できる。例えば、前記スリープ制御シグナリング要請メッセージは、ＡＡＩ  ＴＲＦ  ＩＮＤ−ＲＥＱ（Ａｄｖａｎｃｅｄ  Ａｉｒ  Ｉｎｔｅｒｆａｃｅ  Ｔｒｉｆｆｉｃ  Ｉｎｄｉｃａｔｉｏｎ−Ｒｅｑｕｅｓｔ）メッセージで定義できる。また、前記スリープ制御シグナリング要請メッセージは、一般的に広く用いられるヘッダ（ｈｅａｄｅｒ）形態で定義できる。例えば、前記スリープ制御シグナリング要請メッセージは、ＳＣＨ（Ｓｌｅｅｐ  Ｃｏｎｔｒｏｌ  Ｈｅａｄｅｒ）及びＳＣＥＨ（Ｓｌｅｅｐ  Ｃｏｎｔｒｏｌ  Ｅｘｔｅｎｄｅｄ  Ｈｅａｄｅｒ）で定義できる。
【０１３０】
前記図１１を参考して説明した実施の形態において、前記端末が前記スリープ制御シグナリング応答メッセージを成功的に受信する場合のみを仮定した。しかしながら、チャネル劣化、環境条件などにより、前記端末は、前記スリープ制御シグナリング応答メッセージを受信できない可能性もある。したがって、前記スリープ制御シグナリング応答メッセージが損失したと判断される場合、前記端末は、前記スリープ制御シグナリング要請メッセージを再送信する。本発明の実施の形態によって、前記スリープ制御シグナリング要請メッセージの送信後、前記スリープ制御シグナリング応答メッセージの受信無しで予め定義された時間が経過すれば、前記端末は、前記スリープ制御シグナリング応答メッセージが損失したと判断する。本発明の他の実施の形態によって、前記スリープ制御シグナリング応答メッセージに対するＨＡＲＱ（Ｈｙｂｉｒｄ  Ａｕｔｏｍａｔｉｃ  Ｒｅｐｅａｔ  ｒｅＱｕｅｓｔ）再送信回数が最大ＨＡＲＱ再送信に到達すると、前記端末は、前記スリープ制御シグナリング応答メッセージが損失したと判断する。本発明のさらに他の実施の形態によって、前記スリープ制御シグナリング応答メッセージに対する物理階層のローカルＮＡＫ（ｌｏｃａｌ  Ｎｏｎ−ＡＣＫｎｏｗｌｅｄｇｅ）が発生すると、前記端末は、前記スリープ制御シグナリング応答メッセージが損失したと判断する。
【０１３１】
図１２は、本発明の第４の実施の形態に係る無線通信システムにおけるスリープモードのスリープサイクル同期を制御するための基地局動作フローチャートを示している。
【０１３２】
前記図１２を参考すると、基地局は、ステップ１２００にて端末のリスニングウィンドウが到来したかどうかを確認する。前記リスニングウィンドウが渡来すると、前記基地局は、ステップ１２０２に進んで前記端末に送信するダウンリンクトラフィックが存在しているかどうかを確認する。
【０１３３】
万一、前記端末に送信するダウンリンクトラフィックが存在すと、前記基地局は、ステップ１２０４に進んで前記端末の識別子情報をトラフィック指示メッセージに含める。前記トラフィック指示メッセージに前記端末の識別子情報が含まれることによって、前記トラフィック指示メッセージは、前記端末に「Ｐｏｓｉｔｉｖｅ  Ｔｒａｆｆｉｃ  Ｉｎｄｉｃａｔｉｏｎ」と判断される。反面、前記端末に送信するダウンリンクトラフィックが存在しないと、前記基地局は、前記ステップ１２０４を行わない。これにより、前記端末は、前記トラフィック指示メッセージに前記端末の識別子情報が含まれているかどうかを介して、前記トラフィック指示メッセージが「Ｎｅｇａｔｉｖｅ  ｔｒａｆｆｉｃ  ｉｎｄｉｃａｔｉｏｎ」であるか、又は「Ｐｏｓｉｔｉｖｅ  Ｔｒａｆｆｉｃ  Ｉｎｄｉｃａｔｉｏｎ」であるかを判断する。
【０１３４】
以後、前記基地局は、ステップ１２０６に進んで少なくとも一つの端末識別子情報を含む前記トラフィック指示メッセージ及び前記端末のダウンリンクトラフィックを送信する。ここで、前記ステップ１２０２の判断結果によって、前記端末のダウンリンクトラフィックの送信は省略できる。
【０１３５】
続き、前記基地局は、ステップ１２０８に進んで端末からスリープ制御シグナリング要請メッセージが受信されるかどうかを確認する。前記スリープ制御シグナリング要請メッセージは、スリープモード同期化のための情報を要請するメッセージであり、例えば、前記表５のように構成される。
【０１３６】
前記スリープ制御シグナリング要請メッセージが受信されると、前記基地局は、ステップ１２１０に進んでスリープモード同期化のための情報を決定する。前記スリープモード同期化のための情報は、次のスリープサイクルの開始時点情報及び前記次のスケジュールされたリスニングウィンドウを含むスリープサイクルの長さである。
【０１３７】
前記スリープモード同期化のための情報を決定した後、前記基地局は、ステップ１２１２に進んで前記スリープモード同期化のための情報を含むスリープ制御シグナリング応答メッセージを前記端末に送信する。例えば、前記スリープ制御シグナリング応答メッセージは、下記表６のように構成される。
【０１３８】
【表６】
0005892926.tif 000007
【０１３９】
前記「Ｒｅｑｕｅｓｔ  Ｔｙｐｅ」が「０ｘ００」である場合、前記「Ｆｒａｍｅ＿Ｎｕｍｂｅｒ  ｆｏｒ  Ｎｅｘｔ  Ｓｃｈｅｄｕｌｅｄ  Ｌｉｓｔｅｎｉｎｇ  ｗｉｎｄｏｗ」は、次のスリープサイクルの開始時点、すなわち、次のスリープサイクルの開始部分に位置するリスニングウィンドウの第１フレームを意味する。そして、前記「Ｌｅｎｇｔｈ  ｏｆ  Ｓｌｅｅｐ  ｃｙｃｌｅ」は、前記次のスケジュールされたリスニングウィンドウを含むスリープサイクルの長さを示す。前記「Ｒｅｑｕｅｓｔ  Ｔｙｐｅ」が０ｘ０１である場合、「Ａｐｐｒｏｖａｌ  Ｃｏｄｅ」は、端末の「Ｅｘｉｔ  Ｓｌｅｅｐ  Ｍｏｄｅ」に対する基地局の受諾／拒絶を意味する。
【０１４０】
ここで、前記次のスケジュールされたリスニングウィンドウを含むスリープサイクルの長さを示す「Ｌｅｎｇｔｈ  ｏｆ  Ｓｌｅｅｐ  ｃｙｃｌｅ」に対して詳細に説明すれば、次のとおりである。前記「Ｌｅｎｇｔｈ  ｏｆ  Ｓｌｅｅｐ  ｃｙｃｌｅ」は、前記リスニングウィンドウで「Ｎｅｇａｔｉｖｅ  ｔｒａｆｆｉｃ  ｉｎｄｉｃａｔｉｏｎ」が送信された場合の前記リスニングウィンドウを含むスリープサイクルの長さ、すなわち、直前のスリープサイクルの長さの２倍を意味する。したがって、万一、端末が前記リスニングウィンドウで「Ｐｏｓｉｔｉｖｅ  Ｔｒａｆｆｉｃ  Ｉｎｄｉｃａｔｉｏｎ」を受信すると、前記「Ｌｅｎｇｔｈ  ｏｆ  Ｓｌｅｅｐ  ｃｙｃｌｅ」を参照せずに、前記リスニングウィンドウを含んだスリープサイクルを初期スリープサイクルの長さにリセットする。反面、「Ｎｅｇａｔｉｖｅ  ｔｒａｆｆｉｃ  ｉｎｄｉｃａｔｉｏｎ」を受信すると、端末は、リスニングウィンドウを以前スリープサイクルの２倍に増加させなければならないが、このとき、前記「Ｌｅｎｇｔｈ  ｏｆ  Ｓｌｅｅｐ  ｃｙｃｌｅ」が前記２倍に増加された後のスリープサイクルの長さを示す。
【０１４１】
ただし、場合によって、前記「Ｌｅｎｇｔｈ  ｏｆ  Ｓｌｅｅｐ  ｃｙｃｌｅ」は、前記「Ｐｏｓｉｔｉｖｅ  Ｔｒａｆｆｉｃ  Ｉｎｄｉｃａｔｉｏｎ」が発生しても、必要的に用いられることができる。例えば、端末及び基地局がスリープ要請／応答（ＳＬＰ−ＲＥＱ／ＲＳＰ）メッセージを介してネゴシエーションしたスリープサイクルのパターンに応じて「Ｐｏｓｉｔｉｖｅ  Ｔｒａｆｆｉｃ  Ｉｎｄｉｃａｔｉｏｎ」が発生しても、スリープサイクルをリセットしなくて２倍に増加させるように設定された場合、前記「Ｌｅｎｇｔｈ  ｏｆ  Ｓｌｅｅｐ  ｃｙｃｌｅ」は、前記「Ｐｏｓｉｔｉｖｅ  Ｔｒａｆｆｉｃ  Ｉｎｄｉｃａｔｉｏｎ」が発生しても用いられなければならない。前記「Ｐｏｓｉｔｉｖｅ  Ｔｒａｆｆｉｃ  Ｉｎｄｉｃａｔｉｏｎ」が発生しても、スリープサイクルが２倍に増加すると、端末がスリープサイクルの長さを分からなければならない必要があるので、前記「Ｌｅｎｇｔｈ  ｏｆ  Ｓｌｅｅｐ  ｃｙｃｌｅ」が送信されなければならない。要約すれば、前記「Ｌｅｎｇｔｈ  ｏｆ  Ｓｌｅｅｐ  ｃｙｃｌｅ」は、スリープサイクルが以前スリープサイクルの長さに比べて２倍に増加される場合、２倍に増加される長さを示す。前記２倍への増加有無は、スリープ要請／応答シグナリングを介してネゴシエーションされ、ネゴシエーション結果によって次のような場合が可能である。以下、２通りある場合に対して、端末は、以前スリープサイクルの２倍の長さになるスリープサイクルの長さを前記「Ｌｅｎｇｔｈ  ｏｆ  Ｓｌｅｅｐ  ｃｙｃｌｅ」によって決定する。
【０１４２】
１）「Ｐｏｓｉｔｉｖｅ  Ｔｒａｆｆｉｃ  Ｉｎｄｉｃａｔｉｏｎ」が発生しても、２倍に増加される。
２）「Ｎｅｇａｔｉｖｅ  ｔｒａｆｆｉｃ  ｉｎｄｉｃａｔｉｏｎ」が発生すると、必ず２倍に増加される。
【０１４３】
前記ステップ１２１２にて送信される前記スリープ制御シグナリング応答メッセージは、他の名称で定義できる。例えば、前記スリープ制御シグナリング応答メッセージは、ＡＡＩ  ＴＲＦ  ＩＮＤ−ＲＳＰ（Ａｄｖａｎｃｅｄ  Ａｉｒ  Ｉｎｔｅｒｆａｃｅ  Ｔｒａｆｆｉｃ  ｉｎｄｉｃａｔｉｏｎ−Ｒｅｓｐｏｎｓｅ）メッセージで定義できる。また、前記スリープ制御シグナリング要請メッセージは、一般的に広く用いられるヘッダ（ｈｅａｄｅｒ）形態で定義できる。例えば、前記スリープ制御シグナリング要請メッセージは、ＳＣＨ（Ｓｌｅｅｐ  Ｃｏｎｔｒｏｌ  Ｈｅａｄｅｒ）及びＳＣＥＨ（Ｓｌｅｅｐ  Ｃｏｎｔｒｏｌ  Ｅｘｔｅｎｄｅｄ  Ｈｅａｄｅｒ）で定義できる。この場合、前記ＡＡＩ  ＴＲＦ  ＩＮＤ−ＲＳＰメッセージ、前記ＳＣＨ又は前記ＳＣＥＨは、次のスケジュールされたスリープサイクルの開始フレーム番号を示す「Ｆｒａｍｅ＿Ｎｕｍｂｅｒ」及び次のスケジュールされたスリープサイクルの大きさを示す「Ｌｅｎｇｔｈ  ｏｆ  Ｓｌｅｅｐ  ｃｙｃｌｅ」を含む。
【０１４４】
前記図１１及び前記図１２を参考して説明した本発明の実施の形態で、「Ｌｅｎｇｔｈ  ｏｆ  Ｓｌｅｅｐ  ｃｙｃｌｅ」は、次のスケジューリングされたスリープサイクルの大きさを指示する。前記「Ｌｅｎｇｔｈ  ｏｆ  Ｓｌｅｅｐ  ｃｙｃｌｅ」は、「ｎａｇａｔｉｖｅ  ｔｒａｆｆｉｃ  ｉｎｄｉｃａｔｉｏｎ」による２倍増加した大きさのスリープサイクル大きさを指示する。しかし、本発明の他の実施によれば、前記「Ｌｅｎｇｔｈ  ｏｆ  Ｓｌｅｅｐ  ｃｙｃｌｅ」は、次のスケジューリングされたスリープサイクルの以前スリープサイクルの大きさを指示してもよい。
【０１４５】
したがって、基地局がスリープサイクルを２倍に増加させる必要がある場合、前記図１１を参考して説明した本発明の実施の形態によって、前記端末は、前記「Ｌｅｎｇｔｈ  ｏｆ  Ｓｌｅｅｐ  ｃｙｃｌｅ」を２倍に増加されたスリープサイクル大きさとして使用することができる。しかしながら、本発明の他の実施の形態による場合、前記端末は、前記「Ｌｅｎｇｔｈ  ｏｆ  Ｓｌｅｅｐ  ｃｙｃｌｅ」の２倍値を２倍に増加されたスリープサイクル大きさとして使用することができる。
【０１４６】
前記図１１及び前記図１２を参考して説明した本発明の第４の実施の形態で、前記端末は、前記スリープ制御シグナリング要請メッセージを送信する。しかしながら、本発明の他の実施の形態によって、前記スリープ制御シグナリング要請メッセージは、別途分離された機能のために設計された独立的なシグナリングメッセージが用いられることができる。例えば、前記独立的なシグナリングメッセージは、それ自体が「Ｓｌｅｅｐ  Ｓｙｎｃ  Ｉｎｆｏ  Ｒｅｑｕｅｓｔ」を意味しうる。また、本発明のさらに他の実施の形態によって、端末は、スリープ制御シグナリング要請／応答メッセージの代わりにＣＱＩＣＨ（Ｃｈａｎｎｅｌ  Ｑｕａｌｉｔｙ  Ｉｎｄｉｃａｔｉｏｎ  ＣＨａｎｎｅｌ）、専用ＣＤＭＡ（Ｃｏｄｅ  Ｄｉｖｉｓｉｏｎ  Ｍｕｌｔｉｐｌｅ  Ａｃｃｅｓｓ）コード又は前記同期化のための目的の特殊コードを送信できる。
【０１４７】
図１３は、本発明の実施の形態に係る無線通信システムで端末のブロック構成を示している。
【０１４８】
前記図１３に示すように、前記端末は、ＲＦ（Ｒａｄｉｏ  Ｆｒｅｑｕｅｎｃｙ）処理部１３０２、モデム１３０４、制御部１３０６を備えて構成される。
【０１４９】
前記ＲＦ処理部１３０２は、信号の帯域変換、増幅など無線チャネルを介して信号を送受信するための機能を行う。すなわち、前記モデム１３０４から提供されるベースバンド信号をＲＦ帯域信号にアップ・コンバートした後アンテナを介して送信し、前記アンテナを介して受信されるＲＦ帯域信号をベースバンド信号にダウン・コンバートする。
【０１５０】
前記モデム１３０４は、システムの物理階層規格によってベースバンド信号及びビット列間の変換機能を行う。例えば、データ送信の際、前記モデム１３０４は、送信ビット列を符号化及び変調することによって複素シンボル（ｃｏｍｐｌｅｘ  ｓｙｍｂｏｌ）を生成し、前記複素シンボルを副搬送波にマッピングした後、ＩＦＦＴ（Ｉｎｖｅｒｓｅ  Ｆａｓｔ  Ｆｏｕｒｉｅｒ  Ｔｒａｎｓｆｏｒｍ）演算及びＣＰ（Ｃｙｃｌｉｃ  Ｐｒｅｆｉｘ）挿入を介してＯＦＤＭシンボルを構成する。また、データ受信の際、前記モデム１３０４は、前記ＲＦ処理部１３０２から提供されるベースバンド信号をＯＦＤＭシンボル単位で分割し、ＦＦＴ演算を介して副搬送波にマッピングされた信号を復元した後、復調及び復号化を介して受信ビット列を復元する。
【０１５１】
前記制御部１３０６は、前記端末の全般的な機能を制御する。例えば、前記制御部１３０６は、基地局と送受信されるＭＡＣ制御メッセージを生成及び解析する。前記制御部１３０６は、前記端末の動作モードを決定し、決定された動作モードによって動作するように制御するモード管理部１３０８を備える。すなわち、前記モード管理部１３０８は、送受信されるトラフィックの発生頻度によってスリープモードへ遷移するかどうかを判断し、スリープモードへ遷移する際、スリープサイクル内のスリープウィンドウ及びリスニングウィンドウによってスリープ状態及びアクティブ状態の転換を制御する。前記スリープモードのスリープウィンドウの間に、前記制御部１３０６は、信号受信などの動作を行わず、前記スリープモードのリスニングウィンドウの間に、前記制御部１３０６は、基地局から受信されるトラフィック指示メッセージを介して前記端末へのダウンリンクトラフィックが存在しているかどうかを判断する。そして、前記モード管理部１３０８は、前記ダウンリンクトラフィックの存在有無によってスリープサイクルの長さを調節する。
【０１５２】
ここで、前記スリープサイクルの長さ調節に対する具体的な内容は、前記スリープモードへ進入するために行われるスリープ要請／応答シグナリングの結果によって決定される。例えば、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されると、スリープサイクルが初期スリープサイクルの長さにリセットされるという内容、「Ｎｅｇａｔｉｖｅ  ｔｒａｆｆｉｃ  ｉｎｄｉｃａｔｉｏｎ」が受信されると、スリープサイクルが２倍に増加及び「Ｐｏｓｉｔｉｖｅ  Ｔｒａｆｆｉｃ  Ｉｎｄｉｃａｔｉｏｎ」が受信されてもスリープサイクルが２倍に増加されるという内容などが可能である。このとき、前記リスニングウィンドウの間に前記トラフィック指示メッセージを受信していない場合、基地局とのスリープサイクル同期不一致に備えて、前記制御部１３０６は、次のような機能を行う。
【０１５３】
前記リスニングウィンドウの間に、前記トラフィック指示メッセージを受信していない場合、換言すれば、前記トラフィック指示メッセージが損失するか、又は検出されていない場合、前記制御部１３０６は、残ったリスニングウィンドウの間にダウンリンクトラフィックが受信されるかどうかを確認する。万一、前記残ったリスニングウィンドウの間にダウンリンクトラフィックが受信されると、前記制御部１３０６は、前記リスニングウィンドウの間に受信していない前記トラフィック指示メッセージが「Ｐｏｓｉｔｉｖｅ  Ｔｒａｆｆｉｃ  Ｉｎｄｉｃａｔｉｏｎ」であることを判断し、次のスリープサイクルの長さを初期スリープサイクルの長さにリセットする。反面、前記残ったリスニングウィンドウの間にダウンリンクトラフィックが受信されないと、前記制御部１３０６は、スリープ制御シグナリング要請メッセージを生成し、前記モデム１３０４及び前記ＲＦ処理部１３０２を介して前記スリープ制御シグナリング要請メッセージを前記基地局に送信する。すなわち、前記制御部１３０６は、前記スリープ制御シグナリング要請メッセージを介して前記リスニングウィンドウの間に前記トラフィック指示メッセージを受信していないことを前記基地局に通知し、次のスリープサイクルの開始時点及び前記次のスケジュールされたリスニングウィンドウを含むスリープサイクルの長さを問い合わせる。例えば、前記スリープ制御シグナリング要請メッセージは、前記表５のように構成される。以後、前記ＲＦ処理部１３０２及び前記モデム１３０４を介して前記スリープ制御シグナリング要請メッセージに対する応答であるスリープ制御シグナリング応答メッセージが受信されると、前記制御部１３０６は、前記スリープ制御シグナリング応答メッセージに含まれた次のスリープサイクルの開始時点及び前記次のスケジュールされたリスニングウィンドウを含むスリープサイクルの長さを確認する。
【０１５４】
これにより、前記モード管理部１３０８は、前記次のスリープサイクルの開始時点及び前記次のスケジュールされたリスニングウィンドウを含むスリープサイクルの長さを利用して、スリープサイクルの同期化を行う。すなわち、前記モード管理部１３０８は、前記次のスリープサイクルの開始時点から始まるスリープウィンドウの間にトラフィック指示メッセージを受信し、前記トラフィック指示メッセージが「Ｐｏｓｉｔｉｖｅ  Ｔｒａｆｆｉｃ  Ｉｎｄｉｃａｔｉｏｎ」であると、該当スリープサイクルの長さを初期化し、前記トラフィック指示メッセージが「Ｎｅｇａｔｉｖｅ  ｔｒａｆｆｉｃ  ｉｎｄｉｃａｔｉｏｎ」であると、該当スリープサイクルの長さを前記次のスケジュールされたリスニングウィンドウを含むスリープサイクルの長さに設定する。
【０１５５】
上述した実施の形態で、前記制御部１３０６は、スリープ制御シグナリング要請メッセージを介して次のスケジューリングされたリスニングウィンドウを含むスリープサイクルの長さを要請し、スリープ制御シグナリング応答メッセージを介して次のスケジューリングされたリスニングウィンドウを含むスリープサイクルの長さを受信する。本発明の他の実施の形態によって、前記次のスケジューリングされたリスニングウィンドウを含むスリープサイクルの長さは、次のスケジューリングされたリスニングウィンドウを含むスリープサイクルの以前スリープサイクルの長さに代替できる。
【０１５６】
上述した実施の形態で、チャネル劣化、環境条件などにより、前記端末は、前記スリープ制御シグナリング応答メッセージを受信できない可能性もある。したがって、前記スリープ制御シグナリング応答メッセージが損失したと判断される場合、前記制御部１３０６は、前記スリープ制御シグナリング要請メッセージを再送信するよう制御する。本発明の実施の形態によって、前記スリープ制御シグナリング要請メッセージの送信後に前記スリープ制御シグナリング応答メッセージの受信無しで予め定義された時間が経過すると、前記制御部１３０６は、前記スリープ制御シグナリング応答メッセージが損失したと判断する。本発明の他の実施の形態によって、前記スリープ制御シグナリング応答メッセージに対するＨＡＲＱ（Ｈｙｂｉｒｄ  Ａｕｔｏｍａｔｉｃ  Ｒｅｐｅａｔｒｅ  Ｑｕｅｓｔ）再送信回数が最大ＨＡＲＱ再送信に到達すると、前記制御部１３０６は、前記スリープ制御シグナリング応答メッセージが損失したと判断する。本発明のさらに他の実施の形態によって、前記スリープ制御シグナリング応答メッセージに対する物理階層のローカルＮＡＫ（ｌｏｃａｌ  Ｎｏｎ−ＡＣＫｎｏｗｌｅｄｇｅ）が発生すると、前記制御部１３０６は、前記スリープ制御シグナリング応答メッセージが損失したと判断する。
【０１５７】
上述した実施の形態で、前記スリープ制御シグナリング要請メッセージは、他の名称で定義できる。例えば、前記スリープ制御シグナリング要請メッセージは、ＡＡＩ  ＴＲＦ  ＩＮＤ−ＲＥＱ（Ａｄｖａｎｃｅｄ  Ａｉｒ  Ｉｎｔｅｒｆａｃｅ  Ｔｒｉｆｆｉｃ  Ｉｎｄｉｃａｔｉｏｎ−Ｒｅｑｕｅｓｔ）メッセージで定義できる。また、前記スリープ制御シグナリング要請メッセージは、一般的に広く用いられるヘッダ（ｈｅａｄｅｒ）形態で定義できる。例えば、前記スリープ制御シグナリング要請メッセージは、ＳＣＨ（Ｓｌｅｅｐ  Ｃｏｎｔｒｏｌ  Ｈｅａｄｅｒ）及びＳＣＥＨ（Ｓｌｅｅｐ  Ｃｏｎｔｒｏｌ  Ｅｘｔｅｎｄｅｄ  Ｈｅａｄｅｒ）で定義できる。
【０１５８】
図１４は、本発明の実施の形態に係る無線通信システムにおける基地局のブロック構成を示している
【０１５９】
前記図１４に示すように、前記基地局は、ＲＦ処理部１４０２、モデム１４０４、制御部１４０６を備えて構成される。
【０１６０】
前記ＲＦ処理部１４０２は、信号の帯域変換、増幅など無線チャネルを介して信号を送受信するための機能を行う。すなわち、前記モデム１４０４から提供されるベースバンド信号をＲＦ帯域信号にアップ・コンバートした後、アンテナを介して送信し、前記アンテナを介して受信されるＲＦ帯域信号をベースバンド信号にダウン・コンバートする。
【０１６１】
前記モデム１４０４は、システムの物理階層規格によってベースバンド信号及びビット列間の変換機能を行う。例えば、データ送信の際、前記モデム１４０４は、送信ビット列を符号化及び変調することによって複素シンボルを生成し、前記複素シンボルを副搬送波にマッピングした後、ＩＦＦＴ演算及びＣＰ挿入を介してＯＦＤＭシンボルを構成する。また、データ受信の際、前記モデム１４０４は、前記ＲＦ処理部１４０２から提供されるベースバンド信号をＯＦＤＭシンボル単位で分割し、ＦＦＴ演算を介して副搬送波にマッピングされた信号を復元した後、復調及び復号化を介して受信ビット列を復元する。
【０１６２】
前記制御部１４０６は、前記基地局の全般的な機能を制御する。例えば、前記制御部１４０６は、端末と送受信されるＭＡＣ制御メッセージを生成及び解析する。前記制御部１４０６は、前記端末の要請により又は要請無しで前記端末の動作モードを決定し、決定された動作モードを指示するメッセージを生成する。ここで、前記動作モードは、スリープモード及びアクティブモードを含む。また、前記制御部１４０６は、前記スリープモードで動作する少なくとも一つの端末のスリープサイクルを管理するスリープサイクル管理部１４０８を備える。前記スリープサイクルは、スリープモードの進行によって増加又は減少し、各端末によって異なりうる。そして、前記制御部１４０６は、端末のリスニングウィンドウの間に送信されるトラフィック指示メッセージを生成する。
【０１６３】
特に、前記制御部１４０６は、前記リスニングウィンドウの間に前記トラフィック指示メッセージを受信していない端末が基地局とのスリープサイクル同期不一致を解消するための情報を生成する同期化情報生成部１４１０を備える。前記同期化情報生成部１４１０は、前記端末からスリープ制御シグナリング要請メッセージが受信されることによって、同期化情報を生成する。ここで、前記スリープモード同期化のための情報は、次のスリープサイクルの開始時点情報及び前記次のスケジュールされたリスニングウィンドウを含むスリープサイクルの長さである。そして、前記制御部１４０６は、前記同期化情報を含むスリープ制御シグナリング応答メッセージを生成し、前記モデム１４０４及び前記ＲＦ処理部１４０２を介して前記スリープ制御シグナリング応答メッセージを送信する。例えば、前記スリープ制御シグナリング応答メッセージは、前記表６のように構成される。
【０１６４】
上述した実施の形態で、前記スリープ制御シグナリング応答メッセージは、他の名称で定義できる。例えば、前記スリープ制御シグナリング応答メッセージは、ＡＡＩ  ＴＲＦ  ＩＮＤ−ＲＳＰ（Ａｄｖａｎｃｅｄ  Ａｉｒ  Ｉｎｔｅｒｆａｃｅ  Ｔｒｉｆｆｉｃ  Ｉｎｄｉｃａｔｉｏｎ−Ｒｅｓｐｏｎｓｅ）メッセージで定義できる。また、前記スリープ制御シグナリング要請メッセージは、一般的に広く用いられるヘッダ（ｈｅａｄｅｒ）形態で定義できる。例えば、前記スリープ制御シグナリング要請メッセージは、ＳＣＨ（Ｓｌｅｅｐ  Ｃｏｎｔｒｏｌ  Ｈｅａｄｅｒ）及びＳＣＥＨ（Ｓｌｅｅｐ  Ｃｏｎｔｒｏｌ  Ｅｘｔｅｎｄｅｄ  Ｈｅａｄｅｒ）で定義できる。この場合、前記ＡＡＩ  ＴＲＦ  ＩＮＤ−ＲＳＰメッセージ、前記ＳＣＨ又は前記ＳＣＥＨは、次のスケジュールされたスリープサイクルの開始フレーム番号を示す「Ｆｒａｍｅ＿Ｎｕｍｂｅｒ」及び次のスケジュールされたスリープサイクルの大きさを示す「Ｌｅｎｇｔｈ  ｏｆ  Ｓｌｅｅｐ  ｃｙｃｌｅ」を含む。
【０１６５】
上述した実施の形態で、前記制御部１４０６は、スリープ制御シグナリング要請メッセージを介して次のスケジューリングされたリスニングウィンドウを含むスリープサイクルの長さに対する要請を受信し、スリープ制御シグナリング応答メッセージを介して次のスケジューリングされたリスニングウィンドウを含むスリープサイクルの長さを提供する。本発明の他の実施の形態によって、前記次のスケジューリングされたリスニングウィンドウを含むスリープサイクルの長さは、次のスケジューリングされたリスニングウィンドウを含むスリープサイクルの以前スリープサイクルの長さに代替できる。
【０１６６】
前記図１３及び前記図１４を参考して説明した端末及び基地局の構成によれば、前記端末は、前記スリープ制御シグナリング要請メッセージを送信する。しかしながら、本発明の他の実施の形態によって、前記スリープ制御シグナリング要請メッセージは、別途分離された機能のために設計された独立的なシグナリングメッセージが用いられることができる。例えば、前記独立的なシグナリングメッセージは、それ自体が「Ｓｌｅｅｐ  Ｓｙｎｃ  Ｉｎｆｏ  Ｒｅｑｕｅｓｔ」を意味しうる。また、本発明のさらに他の実施の形態によって、端末は、スリープ制御シグナリング要請／応答メッセージの代わりにＣＱＩＣＨ、専用ＣＤＭＡコード又は前記同期化のための目的の特殊コードを送信できる。
【０１６７】
本発明は、無線通信システムにおいてスリープ制御シグナリングを介して端末及び基地局間の状態遷移を制御することによって、トラフィック指示メッセージの未受信時にもスリープモード同期が維持される。
【０１６８】
一方、本発明の詳細な説明では具体的な実施の形態について説明したが、本発明の範囲から逸脱しない限り、多様な変形が可能であるということは言うまでもない。したがって、本発明の範囲は説明された実施の形態に限って定められるものではなく、後述する特許請求の範囲だけでなく、この特許請求の範囲と均等なものによって定められねばならない。
【符号の説明】
【０１６９】
３００  アクティブモード
３１０  スリープモード
３１２  スリープ状態
３１４  アクティブ状態
１３０２  ＲＦ処理部
１３０４  モデム
１３０６  制御部
１３０８  モード管理部
１４０２  ＲＦ処理部
１４０４  モデム
１４０６  制御部
１４０８  スリープサイクル管理部
１４１０  同期化情報生成部
【図１】
0005892926.tif 000008
【図２】
0005892926.tif 000009
【図３】
0005892926.tif 000010
【図４】
0005892926.tif 000011
【図５】
0005892926.tif 000012
【図６】
0005892926.tif 000013
【図７】
0005892926.tif 000014
【図８】
0005892926.tif 000015
【図９】
0005892926.tif 000016
【図１０】
0005892926.tif 000017
【図１１】
0005892926.tif 000018
【図１２】
0005892926.tif 000019
【図１３】
0005892926.tif 000020
【図１４】
0005892926.tif 000021